(57)【要約】【課題】ユーザの利便性を向上させることができるコンテンツ録画方法、録画装置及び録画システムを提供する。【解決手段】コンテンツ録画方法は、ユーザによって指定されたチャネル及び時間帯に放送されるコンテンツを、記録媒体のチャネル自動録画領域１１１に自動的に録画するチャネル自動録画制御ステップと、録画サーバ１００と通信可能に接続されたモバイルサーバ２００と通信可能になったことを検知した際に、過去にチャネル自動録画領域１１１からモバイルサーバ２００にコピー又はムーブされたコンテンツを、モバイルサーバ２００に削除させる削除ステップと、モバイルサーバ２００と通信可能になったことを検知した際に、チャネル自動録画領域１１１に録画されたコンテンツを、モバイルサーバ２００にコピー又はムーブするコンテンツ転送ステップと、を含む。【選択図】図１
2015128281.tif 000002
【特許請求の範囲】
【請求項１】
コンテンツを記録媒体に録画する録画装置におけるコンテンツ録画方法であって、
ユーザによって指定されたチャネル及び時間帯に放送されるコンテンツを、前記記録媒体のチャネル自動録画領域に自動的に録画するチャネル自動録画制御ステップと、
前記録画装置と通信可能に接続されたモバイル機器と通信可能になったことを検知した際に、過去に前記チャネル自動録画領域から前記モバイル機器にコピー又はムーブされたコンテンツを、前記モバイル機器に削除させる削除ステップと、
前記モバイル機器と通信可能になったことを検知した際に、前記チャネル自動録画領域に録画されたコンテンツを、前記モバイル機器にコピー又はムーブするコンテンツ転送ステップと、
を含むコンテンツ録画方法。
【請求項２】
前記削除ステップは、前記モバイル機器と通信可能になったことを検知した際に、前記チャネル自動録画領域から前記モバイル機器に記録されたコンテンツのうち、前記チャネル自動録画領域から前記モバイル機器にコンテンツを転送する期間を示す転送期間を越えた前記コンテンツを、前記モバイル機器に削除させる請求項１記載のコンテンツ録画方法。
【請求項３】
前記コンテンツ転送ステップは、前記モバイル機器と通信可能になったことを検知した際に、前記モバイル機器と通信可能になったことを前回検知した後に経過した日数が、ユーザによって指定された日数よりも少ない場合に、指定された前記日数に関わらず、前回検知された後に前記チャネル自動録画領域内に記録されたコンテンツを、前記モバイル機器にコピー又はムーブする請求項１又は２記載のコンテンツ録画方法。
【請求項４】
前記削除ステップは、前記モバイル機器に記録されたコンテンツのうち、放送時刻が最も古い前記コンテンツを、前記モバイル機器に削除させる請求項１記載のコンテンツ録画方法。
【請求項５】
前記コンテンツ転送ステップは、前記モバイル機器と通信可能になったことを検知した際に、前記チャネル自動録画領域に記録されたコンテンツのうち、ユーザに指定されたチャネル及び時間帯のコンテンツを、前記モバイル機器にコピー又はムーブする請求項１記載のコンテンツ録画方法。
【請求項６】
前記コンテンツ転送ステップは、前記モバイル機器と通信可能になったことを検知した際に、前記チャネル自動録画領域に記録されたコンテンツのうち、ユーザによって指定されたジャンルに対応するコンテンツを、前記モバイル機器にコピー又はムーブする請求項１記載のコンテンツ録画方法。
【請求項７】
前記コンテンツ転送ステップは、前記モバイル機器と通信可能になったことを検知した際に、前記チャネル自動録画領域に記録されたコンテンツのうち、ユーザの視聴履歴に基づいて、前記モバイル機器にコピー又はムーブするコンテンツを選択し、選択したコンテンツを前記モバイル機器にコピー又はムーブする請求項１記載のコンテンツ録画方法。
【請求項８】
ユーザによって個別に指定されたコンテンツの録画を予約し、予約された前記コンテンツを前記記録媒体の個別録画領域に録画し、前記個別録画領域に録画された少なくとも１つのコンテンツの中からユーザによって指定されたコンテンツを削除する個別録画制御ステップをさらに含む請求項１記載のコンテンツ録画方法。
【請求項９】
光ディスクドライブによって再生される光ディスクが指定するコンテンツ転送許諾サーバにネットワークを介してアクセスし、前記光ディスクに記録された光ディスクコンテンツを前記録画装置から前記モバイル機器へ転送することを許諾する転送許諾を前記コンテンツ転送許諾サーバから取得する転送許諾取得ステップと、
前記転送許諾を取得した際に、前記光ディスクコンテンツを前記個別録画領域にコピーする光ディスクコンテンツ記録ステップと、
前記モバイル機器と通信可能になったことを検知し、且つ、前記個別録画領域にコピーされた前記光ディスクコンテンツが自動的にコピー又は自動的にムーブする対象としてユーザによって指定されている場合、前記モバイル機器に前記光ディスクコンテンツを自動的にコピー又はムーブする光ディスクコンテンツ転送ステップとをさらに含む請求項８記載のコンテンツ録画方法。
【請求項１０】
映像配信サーバによって配信される配信コンテンツをダウンロードし、ダウンロードされた前記配信コンテンツを前記個別録画領域に記録する配信コンテンツ記録ステップと、
前記モバイル機器と通信可能になったことを検知し、且つ、前記個別録画領域に記録された前記配信コンテンツが自動的にコピー又は自動的にムーブの対象としてユーザによって指定されている場合、前記モバイル機器に前記配信コンテンツを自動的にコピー又はムーブする配信コンテンツ転送ステップとをさらに含む請求項８記載のコンテンツ録画方法。
【請求項１１】
ユーザによって撮影された静止画像データ又は動画像データを含む個人データを前記記録媒体の個人データ領域に記録する個人データ記録ステップをさらに含む請求項１〜１０のいずれかに記載のコンテンツ録画方法。
【請求項１２】
前記モバイル機器は、前記個人データを記録しており、
前記個人データ記録ステップは、前記モバイル機器と通信可能になったことを検知した際に、前記モバイル機器に記録されている前記個人データを前記モバイル機器から受信し、受信した前記個人データを前記個人データ領域に記録する請求項１１記載のコンテンツ録画方法。
【請求項１３】
コンテンツを記録媒体に録画する録画装置であって、
ユーザによって指定されたチャネル及び時間帯に放送されるコンテンツを、前記記録媒体のチャネル自動録画領域に自動的に録画するチャネル自動録画制御部と、
前記録画装置と通信可能に接続されたモバイル機器と通信可能になったことを検知した際に、過去に前記チャネル自動録画領域から前記モバイル機器にコピー又はムーブされたコンテンツを、前記モバイル機器に削除させる削除ステップと、
前記モバイル機器と通信可能になったことを検知した際に、前記チャネル自動録画領域に録画されたコンテンツを、前記モバイル機器にコピー又はムーブするコンテンツ転送部と、
を備える録画装置。
【請求項１４】
コンテンツを記録媒体に録画する録画装置と、前記録画装置と通信可能に接続されたモバイル機器とを備える録画システムであって、
前記録画装置は、
ユーザによって指定されたチャネル及び時間帯に放送されるコンテンツを、前記記録媒体のチャネル自動録画領域に自動的に録画するチャネル自動録画制御部と、
前記モバイル機器と通信可能になったことを検知した際に、過去に前記チャネル自動録画領域から前記モバイル機器にコピー又はムーブされたコンテンツを、前記モバイル機器に削除させる削除部と、
前記モバイル機器と通信可能になったことを検知した際に、前記チャネル自動録画領域に録画されたコンテンツを、前記モバイル機器にコピー又はムーブするコンテンツ転送部と、を備え、
前記モバイル機器は、
前記録画装置によってコピー又はムーブされた前記コンテンツを記録媒体に記録するとともに、過去にコピー又はムーブされた前記コンテンツを前記記録媒体から削除する記録制御部と、
前記記録媒体に記録された前記コンテンツを表示装置へ送信し、前記コンテンツを再生する再生制御部と、を備える録画システム。
【発明の詳細な説明】
【技術分野】
【０００１】
本開示は、コンテンツを録画するコンテンツ録画方法、録画装置及び録画システムに関するものである。
【背景技術】
【０００２】
近年、スマートフォン及びタブレット型コンピュータ等の普及により、宅外でも、モバイル機器を使って、映像を簡単に視聴することができる環境が整ってきている。特に、動画配信サイトの映像をＬＴＥ（Ｌｏｎｇ  Ｔｅｒｍ  Ｅｖｏｌｕｔｉｏｎ）等のモバイル通信規格を使って視聴することができるようになり、モバイル環境での映像のストリーミング視聴が普及している。しかし、宅外でのストリーミング視聴には、後記のような２つの課題がある。
【０００３】
まず、１つ目の課題として、無料の放送コンテンツであっても、放送コンテンツのＩＰ再送信サービスが無料で提供されていない場合に、優良な放送コンテンツを宅外でモバイル通信を利用して視聴することは一般的ではないという課題がある。
【０００４】
また、２つ目の課題として、モバイル通信のパケット定額契約の月額の利用上限が７ＧＢ程度に制限されており、さらに７ＧＢを超えた場合には定額料金を超えて課金されるため、フルＨＤ等の高画質動画を長時間視聴することは通信料金の面で合理的ではないという課題がある。
【０００５】
上記の２つの課題を解決するために、光ディスクレコーダ等の放送録画機は、ＳＤメモリーカード、ＵＳＢメディア、スマートフォン、タブレット型コンピュータ、又はポータブルゲーム機等へ録画したコンテンツを転送する機能を搭載している。
【０００６】
例えば、特許文献１には、メモリーカードを利用してデジタルビデオレコーダから携帯電話機にコンテンツを移動させる構成が開示されている。デジタルビデオレコーダは、通常、据え置き型であり、家庭内でテレビに接続され、記録されている放送番組又は配信コンテンツを再生する。デジタルビデオレコーダに記録された放送番組又は配信コンテンツは、そのままでは宅外で視聴することはできない。このため、携帯型の再生機器又は記録媒体に放送番組又は配信コンテンツを記録して視聴するユースケースが普及しつつある。
【０００７】
特に、日本国内においては、放送されたコンテンツを録画した場合に、録画した各コンテンツに対して、９回のコピー及び１回のムーブを許すいわゆるダビング１０の運用ルールが２００８年に開始された。これにより、放送されたコンテンツを録画し、宅外に持ち出して視聴することがより容易になった。携帯型の再生機器での視聴としては、専用の再生端末での視聴に加えて、近年急速に普及しているスマートフォン又はタブレット型コンピュータでの視聴が要望されている。小型のスマートフォンでもＨＤ解像度の画面を持つ製品が登場し、デジタル放送のＨＤ画質コンテンツをそのまま宅外に持ち出して視聴することが可能となった。
【先行技術文献】
【特許文献】
【０００８】
【特許文献１】特開２０１１−２５４１３９号公報
【発明の概要】
【発明が解決しようとする課題】
【０００９】
しかしながら、上記従来の録画システムでは、更なる改善が必要とされていた。
【課題を解決するための手段】
【００１０】
本開示の一態様に係るコンテンツ録画方法は、コンテンツを記録媒体に録画する録画装置におけるコンテンツ録画方法であって、ユーザによって指定されたチャネル及び時間帯に放送されるコンテンツを、前記記録媒体のチャネル自動録画領域に自動的に録画するチャネル自動録画制御ステップと、前記録画装置と通信可能に接続されたモバイル機器と通信可能になったことを検知した際に、過去に前記チャネル自動録画領域から前記モバイル機器にコピー又はムーブされたコンテンツを、前記モバイル機器に削除させる削除ステップと、前記モバイル機器と通信可能になったことを検知した際に、前記チャネル自動録画領域に録画されたコンテンツを、前記モバイル機器にコピー又はムーブするコンテンツ転送ステップと、を含む。
【００１１】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１２】
本開示によれば、更なる改善が実現できる。
【図面の簡単な説明】
【００１３】
【図１】本実施の形態における録画システムの構成を示す図である。
【図２】本実施の形態の録画システムにおける録画コンテンツの流れを示す図である。
【図３】本実施の形態の録画システムにおける録画コンテンツの流れの第１の変形例を示す図である。
【図４】モバイル機器又は記録メディアと、チャネル自動転送に対応しているか否かと、チャネル自動録画コンテンツ転送領域の容量とを対応付けて管理するモバイル機器ＩＤ管理テーブルの一例を示す図である。
【図５】モバイル機器と記録メディアとの組合せと、チャネル自動転送に対応しているか否かと、チャネル自動録画コンテンツ転送領域の容量とを対応付けて管理するモバイル機器ＩＤ管理テーブルの一例を示す図である。
【図６】モバイル機器と記録メディアとを管理するためのモバイル機器ＩＤ管理テーブルの他の例を示す図である。
【図７】本実施の形態における録画サーバの基本構成を示す図である。
【図８】チャネル自動録画用管理テーブルの一例を示す図である。
【図９】チャネル自動録画領域内の録画コンテンツをモバイルサーバ内のチャネル自動録画コンテンツ転送領域に自動転送する自動転送処理を説明するためのフローチャートである。
【図１０】機器ＩＤ毎の自動転送用管理テーブルの一例を示す図である。
【図１１】チャネル自動録画領域内の録画コンテンツをモバイルサーバ内のチャネル自動録画コンテンツ転送領域に自動転送する自動転送処理の第１の変形例を説明するためのフローチャートである。
【図１２】機器ＩＤ毎の自動転送用管理テーブルの他の例を示す図である。
【図１３】チャネル自動録画領域内の録画コンテンツをモバイルサーバ内のチャネル自動録画コンテンツ転送領域に自動転送する自動転送処理の第２の変形例を説明するためのフローチャートである。
【図１４】チャネル自動録画領域内の録画コンテンツをモバイルサーバ内のチャネル自動録画コンテンツ転送領域に自動転送する自動転送処理の第３の変形例を説明するためのフローチャートである。
【図１５】機器ＩＤ毎の自動転送用管理テーブルの他の例を示す図である。
【図１６】チャネル自動録画用管理テーブルの一例を示す図である。
【図１７】自動転送用管理テーブルの一例を示す図である。
【図１８】本実施の形態におけるモバイルサーバの基本構成を示す図である。
【図１９】本実施の形態におけるポータブルビデオビューワの基本構成を示す図である。
【図２０】個別録画領域内のコピー可能録画コンテンツ又はムーブ専用録画コンテンツをモバイルサーバ内の個別録画コンテンツ転送領域に転送する転送処理を説明するためのフローチャートである。
【図２１】個別転送用管理テーブルの一例を示す図である。
【図２２】本実施の形態の録画システムにおける録画コンテンツの流れの第２の変形例を示す図である。
【図２３】個別録画領域内のコピー可能録画コンテンツ又はムーブ専用録画コンテンツをモバイルサーバ内の個別録画コンテンツ転送領域に転送する転送処理の変形例を説明するための第１のフローチャートである。
【図２４】個別録画領域内のコピー可能録画コンテンツ又はムーブ専用録画コンテンツをモバイルサーバ内の個別録画コンテンツ転送領域に転送する転送処理の変形例を説明するための第２のフローチャートである。
【図２５】本実施の形態の録画システムにおける録画コンテンツの流れの第３の変形例を示す図である。
【図２６】モバイル機器ＩＤ管理テーブルの他の例を示す図である。
【図２７】本実施の形態における録画サーバの基本構成の第１の変形例を示す図である。
【図２８】本実施の形態における録画サーバの基本構成の第２の変形例を示す図である。
【図２９】本実施の形態の録画システムにおける録画コンテンツの流れの第４の変形例を示す図である。
【図３０】各ユーザがそれぞれ１つのモバイルサーバを持つ場合のユーザ／機器ＩＤ管理テーブルの一例を示す図である。
【図３１】各ユーザがそれぞれ複数のモバイルサーバを持つ場合のユーザ／機器ＩＤ管理テーブルの一例を示す図である。
【図３２】ユーザ毎の個別転送要管理テーブルの一例を示す図である。
【発明を実施するための形態】
【００１４】
（本開示の基礎となった知見）
近年、最新の暗号技術を採用することで、ＨＤ画質で放送されたコンテンツを、そのまま記録することについての認可を得た記録媒体が登場している。このような記録媒体を用いることで、車載ＡＶ機器で、または、出張先又は旅行先のホテルに設置されたテレビで、記録媒体に記録されたコンテンツを再生することが可能となる。レコーダで記録されたコンテンツを携帯型の再生機器又は記録媒体に記録するための仕組みも知られている。
【００１５】
しかしながら、この仕組みは、ジャンル、作成日又は更新日などの情報に基づいて、レコーダと再生機器又は記録媒体との間で機械的に同期するだけの仕組みであり、必ずしも利用者が望む放送番組又は配信コンテンツが再生機器又は記録媒体に記録される仕組みではない。
【００１６】
また、特定のチャネル又は全部のチャネルについて、決められた時間に放送されたコンテンツを全て録画し、録画したコンテンツに対して古くなったコンテンツを自動消去する、チャネル自動録画方式のレコーダ（録画サーバ）が普及しつつある。
【００１７】
しかしながら、従来、このようなチャネル自動録画方式で録画したコンテンツを、携帯端末に記録する方法については、検討されていない。
【００１８】
また、携帯端末にコンテンツを記録する従来の方式は、使い勝手の面で問題があり、携帯端末にコンテンツを記録する機能をレコーダが搭載していても、あまり使われていない。
【００１９】
本開示は、これらの課題を解決するためになされたもので、ユーザの利便性を向上させることができるコンテンツ録画方法、録画装置及び録画システムを提供するものである。
【００２０】
本開示の一態様に係るコンテンツ録画方法は、コンテンツを記録媒体に録画する録画装置におけるコンテンツ録画方法であって、ユーザによって指定されたチャネル及び時間帯に放送されるコンテンツを、前記記録媒体のチャネル自動録画領域に自動的に録画するチャネル自動録画制御ステップと、前記録画装置と通信可能に接続されたモバイル機器と通信可能になったことを検知した際に、過去に前記チャネル自動録画領域から前記モバイル機器にコピー又はムーブされたコンテンツを、前記モバイル機器に削除させる削除ステップと、前記モバイル機器と通信可能になったことを検知した際に、前記チャネル自動録画領域に録画されたコンテンツを、前記モバイル機器にコピー又はムーブするコンテンツ転送ステップと、を含む。
【００２１】
モバイル機器と通信可能になったことが検知された際に、過去にチャネル自動録画領域からモバイル機器にコピー又はムーブされたコンテンツが、モバイル機器から削除されるので、モバイル機器に記録された不要なコンテンツを自動的に削除することができ、ユーザの利便性を向上させることができる。
【００２２】
以下添付図面を参照しながら、本開示の実施の形態について説明する。なお、以下の実施の形態は、本開示を具体化した一例であって、本開示の技術的範囲を限定するものではない。
【００２３】
本開示は、チャネル自動録画機能を有する録画装置（録画サーバ）とモバイルサーバとの連携により、映像コンテンツを家の外に持ち出し視聴する環境を容易に実現するものである。
【００２４】
録画サーバは、記録媒体を備える。記録媒体は、ユーザによって指定されたチャネル及び時間帯に放送される番組のコンテンツを自動的に録画するチャネル自動録画領域と、ユーザによって個別に予約された番組のコンテンツを録画する個別録画領域と、スマートフォン又はＤＳＣ（Ｄｉｇｉｔａｌ  Ｓｔｉｌｌ  Ｃａｍｅｒａ）等で撮影された写真又は動画、ユーザが購入及びリッピングして転送した音楽などを保存する個人データ記録領域とを備える。
【００２５】
録画サーバにモバイルサーバが接続され、同期が可能になった場合は、あらかじめユーザが指定した方法で、録画サーバ内のチャネル自動録画領域のコンテンツ（ダビング１０対応）の一部をモバイルサーバ側に自動的に同期（転送）する。例えば、録画サーバは、最新の１週間分のコンテンツ、最新の２週間分のニュース及び天気予報、２週間以内で一度でも視聴したドラマ、及び最新の１か月間に放送された映画のうちの１つ又は複数をモバイルサーバに自動的に転送する。また、録画サーバは、モバイルサーバの記録容量が許す限りのコンテンツをモバイルサーバに自動的に転送する。
【００２６】
個別録画領域内及びチャネル自動録画領域内の有料放送コンテンツ（ダビング１コンテンツ）は、ユーザが個別に指定することにより転送される。なお、ダビング１コンテンツとは、１回だけコピーが許可されるコンテンツである。個人データ記録領域に関しては、新たにモバイルサーバにコンテンツが追加されていた場合は、新たに追加されたコンテンツが、モバイルサーバから個人データ記録領域に自動的にコピーされる。
【００２７】
モバイルサーバは、録画サーバ内のチャネル自動録画領域のコンテンツを格納するチャネル自動録画コンテンツ転送領域と、録画サーバ内の個別録画領域のコンテンツを格納する個別録画コンテンツ転送領域と、録画サーバ内の個人データ記録領域のコンテンツを格納する個人データ一時記録領域とを個別に管理する機能を有している。
【００２８】
録画サーバは、モバイルサーバのチャネル自動録画コンテンツ転送領域に格納されている既存のコンテンツを、ユーザが予め指定した方法で、自動的に削除する。また、録画サーバは、モバイルサーバのチャネル自動録画コンテンツ転送領域に格納可能な新たなコンテンツを、ユーザが予め指定した方法で、チャネル自動録画領域からチャネル自動録画コンテンツ転送領域に自動的に転送する。これにより、ユーザは、録画サーバのコンテンツとモバイルサーバのコンテンツとを同期させる毎に、モバイルサーバ内の過去のコンテンツを手動で削除する必要がなく、かつモバイルサーバの空き容量を気にする必要もなく、ユーザが所望する最新の放送コンテンツをモバイルサーバに格納することが可能になる。
【００２９】
モバイルサーバは、ＤＬＮＡ（Ｄｉｇｉｔａｌ  Ｌｉｖｉｎｇ  Ｎｅｔｗｏｒｋ  Ａｌｌｉａｎｃｅ）機能等を使うことで、簡単にモバイル機器（例えば、タブレット型コンピュータ、スマートフォン又は車載テレビ）又はＤＬＮＡ対応テレビへ映像コンテンツをストリーミング転送し、各機器は、転送された映像コンテンツを再生することで、宅外において放送コンテンツを視聴することが可能になる。
【００３０】
さらに、ＤＳＣ、ビデオカメラ又はスマートフォン等で撮影した静止画像又は動画像等の個人コンテンツがモバイルサーバに転送されることで、ユーザは、機器の記録容量を気にしないで撮影することができる。通常は、個人コンテンツをモバイルサーバに転送する場合、ユーザは、モバイルサーバ内の記録容量を気にして確認する必要がある。しかしながら、例えば、最も古いコンテンツから順に削除する等のユーザが予め指定した方法に基づき、チャネル自動録画コンテンツ転送領域のコンテンツを削除し、モバイルサーバ内に空き領域を作り出すことで、モバイルサーバの容量を気にすることなく、個人コンテンツの転送が可能になる。
【００３１】
録画サーバは、モバイルサーバに写真等の個人コンテンツが記録された場合、モバイルサーバと同期処理を行う際に、モバイルサーバから個人コンテンツを自動的に取得する。その際、録画サーバの個人データ記録領域に空き領域が無い場合は、自動的に録画サーバのチャネル自動録画領域を縮小し、個人データ記録領域の空き領域を確保する。その場合、領域の確保に伴い、例えば３０日から２９日に録画期間を減少させるか、録画期間を減少させることなく、一部のコンテンツ又は全てのコンテンツの圧縮率を高めるかの選択が、ユーザによって予め指定される。
【００３２】
（実施の形態１）
［録画システムの説明］
図１は、本実施の形態における録画システムの構成を示す図である。
【００３３】
録画システムは、録画サーバ１００及びモバイルサーバ２００を備える。
【００３４】
録画サーバ１００は、チャネル自動録画領域１１１、個別録画領域１１２、システム制御部１２１、録画制御部１２２、同期制御部１２４及び再生制御部１２６を備える。
【００３５】
チャネル自動録画領域１１１は、ユーザによって指定されたチャネル及び時間帯に放送される番組のコンテンツを記録する。個別録画領域１１２は、ユーザによって個別に予約された番組のコンテンツを記録する。例えば、ハードディスクドライブに用いられる磁気ディスク等の記録媒体が、チャネル自動録画領域１１１及び個別録画領域１１２を備える。
【００３６】
システム制御部１２１は、録画サーバ１００の全体を制御する。録画制御部１２２は、ユーザが記録したいチャネル群、時間帯及び圧縮率等を指定して、放送コンテンツ３５０を自動的に記録する。録画制御部１２２は、ユーザによって指定されたチャネル及び時間帯に放送される番組のコンテンツを、記録媒体のチャネル自動録画領域１１１に自動的に録画する。また、録画制御部１２２は、ユーザによって個別に指定された番組の録画を予約し、予約された番組のコンテンツを記録媒体の個別録画領域１１２に録画する。また、録画制御部１２２は、個別録画領域１１２に録画された少なくとも１つのコンテンツの中からユーザによって指定されたコンテンツを削除する。
【００３７】
同期制御部１２４は、モバイルサーバ２００と通信し、モバイルサーバ２００との間で録画コンテンツを同期させる。同期制御部１２４は、録画サーバ１００と通信可能に接続されたモバイルサーバ２００と通信可能になったことを検知し、チャネル自動録画領域１１１に録画されたコンテンツを、モバイルサーバ２００にコピー又はムーブする。なお、録画サーバ１００は、１のモバイルサーバ２００と通信可能に接続されてもよく、複数のモバイルサーバ２００と通信可能に接続されてもよい。また、同期制御部１２４は、モバイルサーバ２００と通信可能になったことを検知した際に、過去にチャネル自動録画領域１１１からモバイルサーバ２００にコピー又はムーブされたコンテンツを、モバイルサーバ２００に削除させる。
【００３８】
また、同期制御部１２４は、モバイルサーバ２００と通信可能になったことを検知した際に、チャネル自動録画領域１１１からモバイルサーバ２００に記録されたコンテンツのうち、チャネル自動録画領域１１１からからモバイルサーバ２００にコンテンツを転送する期間を示す転送期間を越えたコンテンツを、モバイルサーバ２００に削除させる。
【００３９】
さらに、同期制御部１２４は、モバイルサーバ２００と通信可能になったことを検知した際に、モバイルサーバ２００と通信可能になったことを前回検知した後に経過した日数が、ユーザによって指定された日数よりも少ない場合に、指定された日数に関わらず、検知された後にチャネル自動録画領域１１１内に記録されたコンテンツを、モバイルサーバ２００にコピー又はムーブしてもよい。
【００４０】
再生制御部１２６は、チャネル自動録画領域１１１及び個別録画領域１１２に格納された録画コンテンツを再生する。ユーザは、再生されたコンテンツを、テレビ４００等で視聴することができる。
【００４１】
放送コンテンツ３５０は、無料で視聴可能な無料放送コンテンツ（ダビング１０コンテンツ等）と、有料で視聴可能な有料放送コンテンツ（ダビング１コンテンツ等）とを含む。録画システムは、無料放送コンテンツのみ、又は、無料放送コンテンツ及び有料放送コンテンツの双方を対象にしている。ダビング１０コンテンツとは、９回のコピー及び１回のムーブが許可されるコンテンツである。チャネル自動録画領域１１１は、録画容量に応じて、放送された番組（放送コンテンツ）を自動的に録画するとともに、古い番組を自動的に削除する。そのため、ユーザは、録画したい番組を指定して予約する操作が不要となるとともに、録画するための空き記録容量を確保するために、チャネル自動録画領域１１１に録画された録画コンテンツを削除する操作が不要となる。
【００４２】
再生制御部１２６は、チャネル自動録画領域１１１内の録画コンテンツを視聴するために録画コンテンツを選択するための録画対象のチャネルを表示した番組表形式のインターフェースを有している。また、再生制御部１２６は、個別録画領域１１２内の録画コンテンツを視聴するために個々の録画コンテンツを羅列表示して録画コンテンツを選択する、又は個別録画領域１１２内の録画コンテンツを対象に検索処理を行って録画コンテンツを選択するためのインターフェースを有している。
【００４３】
モバイルサーバ２００は、チャネル自動録画コンテンツ転送領域２１１、個別録画コンテンツ転送領域２１２、システム制御部２２１、同期制御部２２４及び再生制御部２２６を備える。
【００４４】
チャネル自動録画コンテンツ転送領域２１１は、録画サーバ１００内のチャネル自動録画領域１１１に格納された録画コンテンツを格納する。個別録画コンテンツ転送領域２１２は、録画サーバ１００内の個別録画領域１１２に格納された録画コンテンツを格納する。チャネル自動録画コンテンツ転送領域２１１及び個別録画コンテンツ転送領域２１２の記録容量は固定的ではなく、個別録画コンテンツ転送領域２１２に格納されている録画コンテンツの記録容量に応じて、チャネル自動録画コンテンツ転送領域２１１の記録容量を増減させることができる。
【００４５】
システム制御部２２１は、モバイルサーバ２００の全体を制御する。
【００４６】
同期制御部２２４は、録画サーバ１００と通信し、録画サーバ１００との間で録画コンテンツを同期させる。同期制御部２２４は、録画サーバ１００から転送された録画コンテンツをチャネル自動録画コンテンツ転送領域２１１又は個別録画コンテンツ転送領域２１２に記録する。
【００４７】
同期制御部２２４は、録画サーバ１００から転送された録画コンテンツのうち、録画サーバ１００のチャネル自動録画領域１１１に格納されていた録画コンテンツをチャネル自動録画コンテンツ転送領域２１１に記録する。また、同期制御部２２４は、録画サーバ１００から転送された録画コンテンツのうち、録画サーバ１００の個別録画領域１１２に格納されていた録画コンテンツを個別録画コンテンツ転送領域２１２に記録する。
【００４８】
また、同期制御部２２４は、録画サーバ１００からの指示に基づいて、過去にチャネル自動録画領域１１１からからコピー又はムーブされたコンテンツをチャネル自動録画コンテンツ転送領域２１１から削除する。
【００４９】
モバイルサーバ２００は、録画サーバ１００に近接させて、Ｗｉ−Ｆｉ通信などの無線通信により録画サーバ１００と接続されることにより、互いに記録されているコンテンツを同期させることが可能になる。または、モバイルサーバ２００は、ＵＳＢケーブルなどの有線通信により録画サーバ１００と接続されることにより、互いに記録されているコンテンツを同期させることが可能になる。
【００５０】
同期可能状態になった場合、あらかじめユーザが録画サーバ１００のユーザインターフェースを使って指定した方法に従って、録画サーバ１００内のチャネル自動録画領域１１１内の無料放送コンテンツ（ダビング１０対応）の一部が、モバイルサーバ２００に自動的に転送される。なお、録画サーバ１００は、例えば、最新の１週間分のコンテンツ、最新の２週間分のニュース及び天気予報、２週間以内で一度でも視聴したドラマ、及び最新の１か月間に放送された映画のうちの１つ又は複数の指定を受け付ける。また、録画サーバ１００は、モバイルサーバ２００の記録容量が許す限りのコンテンツを転送する指定を受け付ける。
【００５１】
同期制御部１２４は、モバイルサーバ２００と通信可能になったことを検知した際に、チャネル自動録画領域１１１に記録されたコンテンツのうち、ユーザの視聴履歴に基づいて、モバイルサーバ２００にコピー又はムーブするコンテンツを選択し、選択したコンテンツをモバイルサーバ２００にコピー又はムーブしてもよい。
【００５２】
個別録画領域１１２のコンテンツは、ユーザによって個別に指定されることにより転送される。個別録画領域１１２のコンテンツが転送される際に、モバイルサーバ２００内のチャネル自動録画コンテンツ転送領域２１１内の古いコンテンツが、自動的に削除されることにより、ユーザは全く意識せずに、最新のコンテンツをモバイルサーバ２００に転送することができる。
【００５３】
再生制御部２２６は、モバイルサーバ２００と通信可能に接続された表示装置へ、チャネル自動録画コンテンツ転送領域２１１又は個別録画コンテンツ転送領域２１２に記録されているコンテンツを送信する。
【００５４】
モバイルサーバ２００は、ＤＬＮＡ機能等を使うことで、簡単にモバイル機器群（携帯情報端末５００又は車載テレビ６００）又はＤＬＮＡ対応テレビ４１０へ映像コンテンツをストリーミング転送し、各機器での映像再生を可能にする。携帯情報端末５００は、例えば、タブレット型コンピュータ又はスマートフォンである。
【００５５】
図２は、本実施の形態の録画システムにおける録画コンテンツの流れを示す図である。
【００５６】
自動録画フィルタ１７２は、ユーザによって設定されたチャネル自動録画の設定条件に応じて、放送コンテンツ３５０に対してチャネル自動録画処理を行う。自動録画対象の放送コンテンツ３５０は、チャネル自動録画領域１１１内にコピー可能録画コンテンツ（ダビング１０等）３０１として格納される。また、録画予約部１７６は、ユーザが個別に録画番組を指定した録画予約設定に応じて録画処理を行う。録画予約対象の放送コンテンツ３５０は、個別録画領域１１２内にコピー可能録画コンテンツ（ダビング１０等）３０２として格納される。
【００５７】
チャネル自動録画領域１１１内のコピー可能録画コンテンツ３０１は、自動録画フィルタ１７２の設定に応じて、順次に自動的に録画される。また、古いコピー可能録画コンテンツ３０１は、自動的に削除される。従って、ユーザがコピー可能録画コンテンツ３０１の中で、長期間保存することを望む録画コンテンツに関しては、チャネル自動録画領域１１１から個別録画領域１１２に移動させる（移動処理１８１）。これにより、コピー可能録画コンテンツ３０１を自動削除の対象から外し、個別録画領域１１２のコピー可能録画コンテンツ３０２として管理することができる。
【００５８】
再生制御部１２６では、チャネル自動録画領域１１１から個別録画領域１１２に移動した録画コンテンツに関しては、個別録画領域１１２内の録画コンテンツとして選択されるとともに、移動処理１８１を実施後も、チャネル自動録画領域１１１内の録画コンテンツとして選択されてもよい。
【００５９】
モバイル機器ＩＤ管理部１６１は、録画サーバ１００が管理するモバイルサーバ２００等のモバイル機器の機器ＩＤ２６１又はモバイル機器内の可搬型記録媒体ＩＤを格納し、チャネル自動録画領域１１１内のコピー可能録画コンテンツ３０１又は個別録画領域１１２内のコピー可能録画コンテンツ３０２を転送するモバイル機器又は可搬型記録媒体を管理する。
【００６０】
モバイルサーバ２００を録画サーバ１００に近接させて無線接続する、又はモバイルサーバ２００と録画サーバ１００とを有線ネットワーク経由で接続することにより、録画サーバ１００とモバイルサーバ２００との間で録画コンテンツ等のデータの同期処理が可能な状態になった場合に、自動転送処理１８２が行われる。自動転送処理１８２では、ユーザが自動転送フィルタ１７４に設定した転送条件にしたがって、チャネル自動録画領域１１１内のコピー可能録画コンテンツ３０１を、モバイルサーバ２００内のチャネル自動録画コンテンツ転送領域２１１に自動転送する。移動処理１８１において個別録画領域１１２での管理に切り替えられた録画コンテンツは、自動転送処理１８２の対象から外される。ただし、移動処理１８１によって移動された録画コンテンツに対して、ユーザが自動転送処理１８２の対象に含めることを指定した場合は、自動転送処理１８２の対象にすることもできる。
【００６１】
同期処理が可能になった場合は、自動転送処理１８２に加え、転送処理１８３が行われる。転送処理１８３では、ユーザが転送予約部１７８に設定した条件にしたがって、個別録画領域１１２内のコピー可能録画コンテンツ３０２をモバイルサーバ２００内の個別録画コンテンツ転送領域２１２に自動転送する。
【００６２】
モバイルサーバ２００内のチャネル自動録画コンテンツ転送領域２１１及び個別録画コンテンツ転送領域２１２内に格納された録画コンテンツは、ＤＬＮＡ規格等の通信機能により、無線又は有線（例えば、ＵＳＢ又はＷｉ−Ｆｉ等の技術を使って接続された携帯情報端末５００へ送信され、携帯情報端末５００で録画コンテンツを再生して視聴することができる。
【００６３】
モバイルサーバ２００と携帯情報端末５００との間の映像コンテンツの通信は、ＤＬＮＡ規格等でのストリーミング通信に限らず、携帯情報端末５００からモバイルサーバ２００をネットワーク経由で外付けの外部記録機器のように扱うことでも、実現可能である。
【００６４】
図３は、本実施の形態の録画システムにおける録画コンテンツの流れの第１の変形例を示す図である。
【００６５】
図２に示す録画サーバ１００が無料放送コンテンツのみを対象にしていたのに対し、図３では、無料放送コンテンツ３００（ダビング１０コンテンツ等）及び有料放送コンテンツ３１０（ダビング１コンテンツ等）を録画する場合のコンテンツの流れを示している。
【００６６】
自動録画フィルタ１７２は、無料放送コンテンツ３００に加え、有料放送コンテンツ３１０の自動録画予約も設定できる。自動録画フィルタ１７２の設定に従い、無料放送コンテンツ３００はコピー可能録画コンテンツ３０１としてチャネル自動録画領域１１１内に記録される。また、有料放送コンテンツ３１０はムーブ専用録画コンテンツ３１１としてチャネル自動録画領域１１１内に記録される。
【００６７】
ユーザが個別に録画番組を指定した結果を格納する録画予約部１７６の設定に関しても、無料放送コンテンツ３００に加え、有料放送コンテンツ３１０も設定可能になる。録画予約部１７６の設定に応じて録画処理を行うことにより、無料放送コンテンツ３００はコピー可能録画コンテンツ（ダビング１０等）３０２として個別録画領域１１２内に記録される。また、有料放送コンテンツ３１０は、ムーブ専用録画コンテンツ３１２として個別録画領域１１２内に記録される。
【００６８】
モバイルサーバ２００を録画サーバ１００に近接させて無線接続する、又はモバイルサーバ２００と録画サーバ１００とを有線ネットワーク経由で接続することにより、録画サーバ１００とモバイルサーバ２００との間で録画コンテンツ等のデータの同期処理が可能な状態になった場合に、自動転送処理１８２が行われる。自動転送処理１８２では、ユーザが自動転送フィルタ１７４に設定した転送条件にしたがって、チャネル自動録画領域１１１内のコピー可能録画コンテンツ３０１をモバイルサーバ２００内のチャネル自動録画コンテンツ転送領域２１１に転送する。
【００６９】
ただし、チャネル自動録画領域１１１内のムーブ専用録画コンテンツ３１１は、１回のみしかモバイルサーバ２００に転送することができない。その上、ムーブ専用録画コンテンツ３１１は、転送してしまうと、録画サーバ１００内から削除される等して視聴できない状態になる。そのため、ムーブ専用録画コンテンツ３１１を自動転送の対象にすると、ユーザが予期しない動作を自動的に行うおそれがある。
【００７０】
このため、ユーザが明示的に転送を指示しない限り、ムーブ専用録画コンテンツ３１１は、自動転送処理１８２によってモバイルサーバ２００へ転送されない。チャネル自動録画領域１１１内のムーブ専用録画コンテンツ３１１をモバイルサーバ２００に転送するためには、ユーザの指示によりムーブ専用録画コンテンツ３１１をチャネル自動録画領域１１１内から個別録画領域１１２へ移動させ（移動処理１８１）、ムーブ専用録画コンテンツ３１２として管理する。
【００７１】
同期処理が可能になった場合は、自動転送処理１８２に加え、転送処理１８３が行われる。転送処理１８３では、ユーザが転送予約部１７８に設定した条件にしたがって、個別録画領域１１２内のコピー可能録画コンテンツ３０２及びムーブ専用録画コンテンツ３１２をモバイルサーバ２００内の個別録画コンテンツ転送領域２１２に自動転送する。
【００７２】
図３に示すモバイルサーバ２００の記録媒体２１０は、可搬型記録媒体で構成されてもよい。このとき、可搬型記録媒体は、可搬型記録媒体を録画サーバ１００において識別するためのメディアＩＤを記録している。モバイルサーバ２００が本構成の場合は、録画サーバ１００内のモバイル機器ＩＤ管理部１６１は、機器ＩＤ２９０に代えて、メディアＩＤを管理する。このため、１台のモバイルサーバ２００において複数の可搬型記録媒体が使用される場合、録画サーバ１００は、１台のモバイルサーバ２００を、複数のモバイルサーバ２００として管理することができる。
【００７３】
図３に示すモバイルサーバ２００の記録媒体２１０は、内蔵型記録媒体と可搬型記録媒体とで構成されてもよい。例えば、内蔵型記録媒体は、チャネル自動録画コンテンツ転送領域２１１を含み、可搬型記録媒体は、個別録画コンテンツ転送領域２１２を含む。
【００７４】
モバイルサーバ２００が本構成の場合は、録画サーバ１００内のモバイル機器ＩＤ管理部１６１は、機器ＩＤ２６１とメディアＩＤとの組合せを管理する。このため、１台のモバイルサーバ２００において複数の可搬型記録媒体が使用される場合、録画サーバ１００は、１台のモバイルサーバ２００を複数のモバイルサーバ２００として管理することができる。
【００７５】
なお、モバイルサーバ２００の記録媒体２１０は、内蔵型記録媒体と可搬型記録媒体とで構成され、内蔵型記録媒体は、個別録画コンテンツ転送領域２１２を含み、可搬型記録媒体は、チャネル自動録画コンテンツ転送領域２１１を含んでもよい。
【００７６】
図４及び図５は、モバイル機器と記録メディアとを管理するためのモバイル機器ＩＤ管理テーブルの一例を示す図である。図４は、モバイル機器又は記録メディアと、チャネル自動転送に対応しているか否かと、チャネル自動録画コンテンツ転送領域の容量とを対応付けて管理するモバイル機器ＩＤ管理テーブルの一例を示す図である。図５は、モバイル機器と記録メディアとの組合せと、チャネル自動転送に対応しているか否かと、チャネル自動録画コンテンツ転送領域の容量とを対応付けて管理するモバイル機器ＩＤ管理テーブルの一例を示す図である。なお、モバイル機器ＩＤ管理テーブルは、モバイル機器ＩＤ管理部１６１に記録されている。
【００７７】
図４に示すテーブルでは、モバイルサーバ又はポータブルメディア毎に同期処理時にチャネル自動転送を行う対象であるか否かを指定する。チャネル自動転送対象である場合はチャネル自動録画コンテンツ転送領域の容量を管理する。このため、自動転送フィルタ１７４は、モバイル機器ＩＤ管理テーブルの情報を使って、録画サーバ１００で管理対象のモバイルサーバ２００への自動転送処理１８２を管理することができる。
【００７８】
また、図５に示すテーブルでは、モバイルサーバとポータブルメディアとの組合せ毎に、同期処理時にチャネル自動転送を行う対象であるか否かを指定する。チャネル自動転送対象である場合はチャネル自動録画コンテンツ転送領域の容量を管理する。
【００７９】
図３に示すモバイルサーバ２００は、メディアＩＤの項目を指定できない。
【００８０】
モバイルサーバ２００の記録媒体２１０が可搬型記録媒体で構成される場合は、複数の機器が可搬型記録媒体を利用することが可能であるため、機器ＩＤの項目は、指定しても意味がない。
【００８１】
一方、モバイルサーバ２００の記録媒体２１０が内蔵型記録媒体と可搬型記録媒体とで構成される場合は、機器ＩＤとメディアＩＤとの組合せで管理されるため、機器ＩＤ及びメディアＩＤの両方の項目は、有効なＩＤが指定される必要がある。
【００８２】
図６は、モバイル機器と記録メディアとを管理するためのモバイル機器ＩＤ管理テーブルの他の例を示す図である。
【００８３】
図６に示すテーブルでは、図５のテーブルに加え、個別録画領域１１２に格納されている録画コンテンツの自動転送処理の有無を指定する項目を追加している。このため、自動転送フィルタ１７４は、モバイル機器ＩＤ管理テーブルの情報を使って、録画サーバ１００で管理対象のモバイルサーバ２００への自動転送処理１８２と転送処理１８３とを管理することができる。
【００８４】
図７は、本実施の形態における録画サーバ１００の基本構成を示す図である。
【００８５】
録画サーバ１００では、入力機器の一例であるリモコン４５０からの信号を受信する入出力制御部１２３は、録画サーバ１００の全体を制御するシステム制御部１２１に、ユーザの指示を伝える。システム制御部１２１は、録画制御部１２２、同期制御部１２４、再生制御部１２６及び記録媒体制御部１２５等を制御する。
【００８６】
録画制御部１２２は、デジタル放送チューナ１４５、トランスコーダ１３１及びチャネル自動録画用管理テーブル１４７を備える。
【００８７】
デジタル放送チューナ１４５は、チャネル自動録画用管理テーブル１４７に格納されている情報を基に、無料放送コンテンツ３００及び有料放送コンテンツ３１０の複数の電波信号を受信して映像信号群に変える。トランスコーダ１３１は、チャネル毎に指定された圧縮率で、受信した映像信号を録画コンテンツに変換し、変換した録画コンテンツをチャネル自動録画領域１１１に格納する。
【００８８】
また、ユーザが個別番組の録画予約を行っている場合は、その情報に基づき、デジタル放送チューナ１４５は、無料放送コンテンツ３００又は有料放送コンテンツ３１０の電波信号を受信して映像信号に変える。トランスコーダ１３１は、予約番組毎に指定された圧縮率で、受信した映像信号を録画コンテンツに変換し、変換した録画コンテンツを個別録画領域１１２に格納する。
【００８９】
再生制御部１２６は、ＡＶデコーダ１３３及びＨＤＭＩ（登録商標）通信制御部１４３を備える。記録媒体制御部１２５は、チャネル自動録画領域１１１又は個別録画領域１１２内の録画コンテンツを取り出し、ＡＶデコーダ１３３に送る。ＡＶデコーダ１３３は、録画コンテンツをベースバンドの映像信号に変換し、変換した映像信号をＨＤＭＩ通信制御部１４３に送る。ＨＤＭＩ通信制御部１４３は、映像信号をテレビ４００等の映像表示機器に転送する。これにより、ユーザは、録画コンテンツを視聴することができる。
【００９０】
同期制御部１２４は、Ｗｉ−Ｆｉ通信制御部１４１及びＵＳＢ通信制御部１４２を制御することにより、モバイルサーバ２００と通信し、録画サーバ１００とモバイルサーバ２００とで記録している録画コンテンツの同期処理を行う。同期制御部１２４は、モバイルサーバ２００との同期処理が可能になった時点で、機器ＩＤ毎の自動転送用管理テーブル１６５の情報に基づき、チャネル自動録画領域１１１内に格納された録画コンテンツを選択し、選択した録画コンテンツをモバイルサーバ２００に転送し、モバイルサーバ２００のチャネル自動録画コンテンツ転送領域２１１に記録させる。
【００９１】
個別録画領域１１２に転送させる録画コンテンツがあり、且つ、その録画コンテンツがＤＲモードで録画されている場合は、トランスコーダ１３２は、転送処理を行う前に、指定された圧縮率で録画コンテンツを変換する。なお、ＤＲモードとは、デジタル放送信号をデジタル信号のまま録画するモードである。トランスコーダ１３２を使った圧縮処理は時間がかかるため、転送処理を行う前に、あらかじめ圧縮処理を行い、別途、転送用録画コンテンツを個別録画領域１１２内に記録しておいてもよい。
【００９２】
録画サーバ１００からモバイルサーバ２００に転送されるチャネル自動録画領域１１１内の録画コンテンツ又は個別録画領域１１２内の録画コンテンツには、暗号処理が施されている場合がある。録画コンテンツが暗号化されている場合は、モバイルサーバ２００内でも録画コンテンツを暗号化して記録する必要がある。その場合、暗号化された録画コンテンツを別の機器に単純にコピーして再生できないようにするため、録画コンテンツの暗号処理は、録画サーバ１００の機器ＩＤ等の機器固有の情報、又は、モバイルサーバ２００内の記録媒体が可搬型記録媒体で構成される場合は、可搬型記録媒体のメディアＩＤ等の記録媒体固有の情報を使ってバインドされる。このバインドの方法としては、録画コンテンツ自体が機器固有の機器ＩＤでＡＥＳ（Ａｄｖａｎｃｅｄ  Ｅｎｃｒｙｐｔｉｏｎ  Ｓｔａｎｄａｒｄ）等の標準暗号処理で暗号化されている場合と、録画コンテンツ自体がＡＥＳ等の標準暗号処理で暗号化され、暗号化された録画コンテンツを再生するための鍵が機器固有の機器ＩＤで暗号化されている場合とがある。
【００９３】
前者の場合、同期制御部１２４は、転送処理を行う前に転送対象の録画コンテンツの暗号を解読し、平文化し、改めて転送先のモバイルサーバ２００の機器ＩＤ又はメディアＩＤを使って再暗号処理を行って転送する。
【００９４】
後者の場合、同期制御部１２４は、転送時には録画コンテンツ自体の暗号変換処理を行わないが、録画サーバ１００とモバイルサーバ２００との間で安全な通信路（ＳＡＣ）を確立した上で、録画サーバ１００の固有情報により暗号化された、録画コンテンツを再生するための鍵を、モバイルサーバ２００の機器ＩＤ又はメディアＩＤにより暗号化して転送する必要がある。
【００９５】
録画サーバ１００内の録画コンテンツの暗号化の方式は、録画サーバ１００が使われている国の規制又は採用する技術によって異なる。また、モバイルサーバ２００の暗号処理も、記録媒体が可搬型記録媒体で構成されない場合と可搬型記録媒体で構成される場合とで異なる。記録媒体が可搬型記録媒体で構成される場合は、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）、ＡＡＣＳ（Ａｄｖａｎｃｅｄ  Ａｃｃｅｓｓ  Ｃｏｎｔｅｎｔ  Ｓｙｓｔｅｍ）、又はＮＳＭ（Ｎｅｘｔ  Ｇｅｎｅｒａｔｉｏｎ  Ｓｅｃｕｒｅ  Ｍｅｍｏｒｙ  Ｉｎｉｔｉａｔｉｖｅ）等のメディアバインド型の暗号方式のルールに則して、録画コンテンツの転送処理が実現される。
【００９６】
チャネル自動録画用管理テーブル１４７は、チャネル自動録画対象のチャネルを指定するための録画チャネル指定項目と、一日の内の自動録画すべき時間帯を指定するための録画時間帯指定項目と、録画画質を指定するための画質指定項目と、自動録画する日数を指定するための録画期間指定項目とで構成される。
【００９７】
通常は、チャネル自動録画領域１１１の容量が指定されており、画質及び録画期間のいずれか一方が指定されれば、他方は計算で求めることができる。
【００９８】
例えば、録画時間帯、画質及び録画期間は、チャネル毎ではなく、全てのチャネルに対して一括して指定される。
【００９９】
このとき、チャネル自動録画領域の容量が１ＴＢであり、画質が１５倍であり、録画期間が指定されていない場合、録画期間は、下記の式に基づいて算出される。
【０１００】
録画期間＝１ＴＢ［容量］／（１８／８Ｍｂｐｓ［帯域］＊６０ｓ＊６０ｓ＊（６［チャネル数］＊１７［時間］））＊１５［画質］
＝１０００＊１０００／（１８／８＊６０＊６０＊６＊１７）＊１５
＝１８日 
【０１０１】
また、例えば、チャネル自動録画領域１１１の容量が１ＴＢであり、録画期間が３週間（２１日間）に指定されており、画質が指定されていない場合、画質は、下記の式に基づいて算出される。
【０１０２】
画質＝（３＊７）［３週間］＊（１８／８Ｍｂｐｓ［帯域］＊６０ｓ＊６０ｓ＊（６［チャネル数］＊７［時間］））／１ＴＢ［容量］
＝２１＊（１８＊６０＊６０＊６＊７／８）／（１０００＊１０００）
＝７．１４倍
圧縮率の指定が整数のみの場合は、録画コンテンツは、８倍で圧縮される。
【０１０３】
図８は、チャネル自動録画用管理テーブル１４７の一例を示す図である。
【０１０４】
図８に示すように、チャネル自動録画用管理テーブル１４７は、録画時間帯と画質とがチャネル毎に指定でき、より細かなユーザの録画ニーズに応えることができる。また、図８において、Ａ放送局に対応する録画時間帯の開始時刻は７時に指定され、終了時刻は２４時に指定されており、Ｂ放送局、Ｃ放送局、Ｄ放送局及びＥ放送局に対応する録画時間帯の開始時刻は１８時に指定され、終了時刻は２５時に指定されており、Ｆ放送局に対応する録画時間帯の開始時刻は２３時に指定され、終了時刻は２４時に指定されている。
【０１０５】
この例では、チャネル自動録画領域の容量が１ＴＢであり、録画期間が２週間（１４日間）に指定されているため、画質は、下記の式に基づいて算出される。
【０１０６】
画質＝（２＊７）［２週間］＊（１８／８Ｍｂｐｓ［帯域］＊６０ｓ＊６０ｓ＊（（１７＋７＊４＋１）［時間］））／１ＴＢ［容量］
＝１４＊（１８＊６０＊６０＊（１７＋７＊４＋１）／８）／（１０００＊１０００）
＝５．２倍
圧縮率の指定が整数のみの場合は、録画コンテンツは、６倍で圧縮される。
【０１０７】
また、チャネル自動録画用管理テーブル１４７において、録画時間帯と画質とがチャネル毎に指定することができる場合、より細かなユーザの録画ニーズに応えることができる。
【０１０８】
例えば、チャネル自動録画領域の容量が１ＴＢであり、録画時間帯が上記の図８と同様に指定され、画質が１０倍であり、録画期間が指定されていない場合、録画期間は、下記の式に基づいて算出される。
【０１０９】
録画期間＝１ＴＢ［容量］／（１８／８Ｍｂｐｓ［帯域］＊６０ｓ＊６０ｓ＊（１７＋７＊４＋１）［時間］）＊１５［画質］
＝１０００＊１０００／（１８／８＊６０＊６０＊４６）＊１５
＝２７日
【０１１０】
図９は、チャネル自動録画領域１１１内の録画コンテンツをモバイルサーバ２００内のチャネル自動録画コンテンツ転送領域２１１に自動転送する自動転送処理を説明するためのフローチャートである。図１０は、機器ＩＤ毎の自動転送用管理テーブル１６５の一例を示す図である。
【０１１１】
まず、ステップＳ１において、同期制御部１２４は、機器ＩＤ毎の自動転送用管理テーブル１６５を参照し、自動転送対象の録画コンテンツを選択する。
【０１１２】
図１０に示すように、自動転送用管理テーブル１６５は、チャネル自動録画対象のチャネルを指定するための録画チャネル指定項目と、一日の内の自動録画すべき時間帯を指定するための録画時間帯指定項目と、録画画質を指定するための画質指定項目と、自動録画する日数を指定するための録画期間指定項目と、自動転送対象であるか否かをチャネル毎に指定するための自動転送対象指定項目とで構成される。
【０１１３】
録画チャネル指定項目、録画時間帯指定項目、画質指定項目及び録画期間指定項目は、チャネル自動録画用管理テーブル１４７と同じである。録画時間帯は、チャネル毎に指定することが可能である。自動的に録画コンテンツを転送するか否かは、録画チャネル指定で指定されたチャネル毎に指定される。自動転送対象指定項目が「自動」に設定されている場合は、自動転送することが可能な転送可能期間が算出される。自動転送対象指定項目が「休止」に設定されている場合は、当該チャネルの録画コンテンツは転送されない。自動転送することが可能な転送可能期間は、転送先の記録容量により計算することが可能である。
【０１１４】
また、有料放送チャネルの録画コンテンツ（ダビング１コンテンツ又はムーブ専用録画コンテンツ３１１）は、自動転送対象にはできないため、自動転送対象指定項目は「不可」になる。
【０１１５】
また、図１０において、Ａ放送局に対応する録画時間帯の開始時刻は７時に指定され、終了時刻は２４時に指定されており、Ｂ放送局、Ｃ放送局、Ｄ放送局及びＥ放送局に対応する録画時間帯の開始時刻は１８時に指定され、終了時刻は２５時に指定されており、Ｆ放送局に対応する録画時間帯の開始時刻は２３時に指定され、終了時刻は２４時に指定され、Ｇ放送局に対応する録画時間帯の開始時刻は０時に指定され、終了時刻は２４時に指定されている。
【０１１６】
ここで、チャネル自動録画コンテンツ転送領域２１１の容量が１２８ＧＢである場合、転送可能期間は、下記の式に基づいて算出される。
【０１１７】
転送可能期間＝１２８ＧＢ［容量］／（１８／８Ｍｂｐｓ［帯域］＊６０ｓ＊６０ｓ＊（１７＋７＊２＋１）［時間］）＊１０［画質］
＝１２８＊１０００／（１８／８＊６０＊６０＊３２）＊１０
＝４．８日
上記のように、４日分の録画コンテンツが転送可能であるため、同期制御部１２４は、最新の４日間の録画コンテンツを自動転送対象の録画コンテンツとして選択する。
【０１１８】
次に、ステップＳ２において、同期制御部１２４は、録画サーバ１００内にモバイルサーバ２００にない自動転送対象の録画コンテンツがあるか否かを判断する。同期制御部１２４は、選択結果に基づき、チャネル自動録画領域１１１内の自動転送対象の録画コンテンツが、モバイルサーバ２００内のチャネル自動録画コンテンツ転送領域２１１内に既に転送されているか否かを確認する。ここで、モバイルサーバ２００にない自動転送対象の録画コンテンツがないと判断された場合（ステップＳ２でＮＯ）、処理は終了する。
【０１１９】
一方、モバイルサーバ２００にない自動転送対象の録画コンテンツがあると判断された場合（ステップＳ２でＹＥＳ）、ステップＳ３において、同期制御部１２４は、モバイルサーバ２００に録画コンテンツを記録する空き領域があるか否かを判断する。ここで、モバイルサーバ２００に録画コンテンツを記録する空き領域があると判断された場合（ステップＳ３でＹＥＳ）、ステップＳ４において、同期制御部１２４は、自動転送対象の録画コンテンツを転送する。モバイルサーバ２００の同期制御部２２４は、録画サーバ１００によって転送された録画コンテンツをチャネル自動録画コンテンツ転送領域２１１に記録する。
【０１２０】
一方、モバイルサーバ２００に録画コンテンツを記録する空き領域が無いと判断された場合（ステップＳ３でＮＯ）、ステップＳ５において、同期制御部１２４は、モバイルサーバ２００に自動転送対象の録画コンテンツよりも過去に録画された録画コンテンツがあるか否かを判断する。ここで、モバイルサーバ２００に自動転送対象の録画コンテンツよりも過去に録画された録画コンテンツがないと判断された場合（ステップＳ５でＮＯ）、処理は終了する。
【０１２１】
一方、モバイルサーバ２００に自動転送対象の録画コンテンツよりも過去に録画された録画コンテンツがあると判断された場合（ステップＳ５でＹＥＳ）、ステップＳ６において、同期制御部１２４は、最も古い録画コンテンツから順に削除するようにモバイルサーバに指示する。同期制御部１２４は、モバイルサーバ２００に記録されたコンテンツのうち、放送時刻が最も古いコンテンツを、モバイルサーバ２００に削除させる。
【０１２２】
このとき、同期制御部１２４は、自動転送対象の録画コンテンツを格納することが可能な容量に対応する録画コンテンツを削除するように指示する。また、同期制御部１２４は、番組単位で録画コンテンツを削除するように指示してもよいし、時間単位で録画コンテンツを削除するように指示してもよい。モバイルサーバ２００の同期制御部２２４は、録画サーバ１００からの削除指示を受信すると、チャネル自動録画コンテンツ転送領域２１１に記録されている録画コンテンツを、最も古い録画コンテンツから順に削除する。同期制御部１２４は、最も古い録画コンテンツから順に削除するようにモバイルサーバに指示した後、ステップＳ４の処理に移行する。
【０１２３】
なお、自動転送用管理テーブル１６５は、録画時間帯、画質及び録画期間を、チャネル毎ではなく、全てのチャネルに対して一括して指定してもよい。自動転送対象指定項目は、チャネル毎に転送するか否かを指定する。自動転送することが可能な転送可能期間は、転送先の記録容量により計算する。
【０１２４】
例えば、モバイルサーバ２００のチャネル自動録画コンテンツ転送領域２１１の記録容量が１２８ＧＢであり、６つのチャネルの録画時間帯が１８時から２５時であり、画質が１５倍であり、録画期間が指定されていない場合、転送可能期間は、下記の式に基づいて算出される。
【０１２５】
転送可能期間＝１２８ＧＢ［容量］／（１８／８Ｍｂｐｓ［帯域］＊６０ｓ＊６０ｓ＊（６［チャネル数］＊７［時間］））＊１５［画質］
＝１２８＊１０００／（１８／８＊６０＊６０＊６＊７）＊１５
＝５．６日
上記のように、５日分の録画コンテンツが転送可能であるため、同期制御部１２４は、最新の５日間の録画コンテンツを自動転送対象の録画コンテンツとして選択する。
【０１２６】
また、チャネル毎に録画コンテンツを自動転送するか否かを設定することが可能であり、自動転送対象指定項目が「休止」に設定されている場合は、当該チャネルの録画コンテンツは転送されない。チャネル自動録画領域１１１に記録されている録画コンテンツのうち、自動転送しないと設定されたチャネルの録画コンテンツは自動転送対象の録画コンテンツから除外される。この場合、転送する録画コンテンツが減るため、転送可能期間は増える。
【０１２７】
例えば、チャネル自動録画コンテンツ転送領域２１１の記録容量が１２８ＧＢであり、６つのチャネルの録画時間帯が１８時から２５時であり、画質が１５倍であり、録画期間が指定されておらず、２つのチャネルの録画コンテンツを自動転送しないと設定されている場合、転送可能期間は、下記の式に基づいて算出される。
転送可能期間＝１２８ＧＢ［容量］／（１８／８Ｍｂｐｓ［帯域］＊６０ｓ＊６０ｓ＊（４［チャネル数］＊７［時間］））＊１５［画質］
＝１２８＊１０００／（１８／８＊６０＊６０＊４＊７）＊１５
＝８．４日
上記のように、８日分の録画コンテンツが転送可能であるため、同期制御部１２４は、最新の８日間の録画コンテンツを自動転送対象の録画コンテンツとして選択する。
【０１２８】
また、有料放送チャネルの録画コンテンツ（ダビング１コンテンツ又はムーブ専用録画コンテンツ３１１）は、自動転送対象にはできないため、自動転送対象指定項目は「不可」になる。
【０１２９】
また、例えば、録画期間が指定され、画質が指定されていない場合、転送可能期間は、画質を算出した上で計算する必要があるが、単純に、チャネル自動録画領域１１１とチャネル自動録画コンテンツ転送領域２１１との比率を計算し、計算した比率を録画期間に乗算することで求めることができる。
【０１３０】
例えば、チャネル自動録画領域１１１の容量が１ＴＢであり、チャネル自動録画コンテンツ転送領域２１１の記録容量が１２８ＧＢであり、６つのチャネルの録画時間帯が１８時から２５時であり、録画期間が４週間（２８日間）に指定されており、画質が指定されていない場合、転送可能期間は、下記の式に基づいて算出される。
【０１３１】
転送可能期間＝２８［日］＊（１２８ＧＢ／１ＴＢ）
＝２８／８［日］
＝３．５日
上記のように、３日分の録画コンテンツが転送可能であるため、同期制御部１２４は、最新の３日間の録画コンテンツを自動転送対象の録画コンテンツとして選択する。
【０１３２】
また、例えば、チャネル自動録画コンテンツ転送領域２１１の記録容量が１２８ＧＢであり、録画時間帯が上記の図１０と同様に指定され、画質が１０倍であり、録画期間が指定されておらず、図１０のＡ放送局からＦ放送局が自動転送対象に指定されている場合、転送可能期間は、下記の式に基づいて算出される。
【０１３３】
転送可能期間＝１２８ＧＢ［容量］／（１８／８Ｍｂｐｓ［帯域］＊６０ｓ＊６０ｓ＊（１７＋７＊４＋１）［時間］）＊１０［画質］
＝１２８＊１０００／（１８／８＊６０＊６０＊４６）＊１０
＝３．４日
上記のように、３日分の録画コンテンツが転送可能であるため、同期制御部１２４は、最新の３日間の録画コンテンツを自動転送対象の録画コンテンツとして選択する。
【０１３４】
なお、上記の例では、チャネル毎に自動転送対象であるか否かを設定して転送可能期間を算出しているが、本開示はこれに限定されず、自動的に転送する期間を示す転送期間をチャネル毎に指定してもよい。
【０１３５】
図１１は、チャネル自動録画領域１１１内の録画コンテンツをモバイルサーバ２００内のチャネル自動録画コンテンツ転送領域２１１に自動転送する自動転送処理の第１の変形例を説明するためのフローチャートである。図１２は、機器ＩＤ毎の自動転送用管理テーブル１６５の他の例を示す図である。
【０１３６】
まず、ステップＳ１１において、同期制御部１２４は、モバイルサーバ２００に記録された録画コンテンツのうち、自動転送用管理テーブル１６５で指定された転送期間を越す録画コンテンツを削除するように指示する。
【０１３７】
図１２に示すように、自動転送用管理テーブル１６５は、チャネル自動録画対象のチャネルを指定するための録画チャネル指定項目と、一日の内の自動録画すべき時間帯を指定するための録画時間帯指定項目と、録画画質を指定するための画質指定項目と、自動録画する日数を指定するための録画期間指定項目と、自動転送対象であるか否か及び転送期間をチャネル毎に指定するための自動転送対象及び転送期間指定項目とで構成される。
【０１３８】
録画チャネル指定項目、録画時間帯指定項目、画質指定項目及び録画期間指定項目は、チャネル自動録画用管理テーブル１４７と同じである。録画時間帯、画質及び録画期間は、チャネル毎ではなく、全てのチャネルに対して一括して指定される。自動的に録画コンテンツを転送するか否かは、録画チャネル指定で指定されたチャネル毎に指定される。また、転送期間も、録画チャネル指定で指定されたチャネル毎に指定される。
【０１３９】
図１２に示す自動転送用管理テーブル１６５では、自動的に録画コンテンツを転送するか否かと、転送期間とが、１つの項目で表される。自動転送対象及び転送期間指定項目が「０日間」に設定されている場合は、当該チャネルの録画コンテンツは転送されない。また、自動転送対象指定項目に、例えば「５日間」のように、具体的な期間が設定されている場合は、当該転送期間に対応する録画コンテンツが転送される。図１２では、２つのチャネルの自動転送が休止されているので、全体の容量が減る。
【０１４０】
ここで、転送期間の指定内容に基づいて、チャネル自動録画コンテンツ転送領域２１１の必要容量を計算することができる。この場合、同期制御部１２４は、録画コンテンツの画質（圧縮率）、チャネル毎の録画時間帯及び転送期間を使って、チャネル毎のチャネル自動録画コンテンツ転送領域２１１の容量を算出し、全てのチャネルのチャネル自動録画コンテンツ転送領域２１１の必要容量を算出できる。従って、チャネル自動録画コンテンツ転送領域２１１の必要容量は、下記の式に基づいて算出される。
【０１４１】
チャネル自動録画コンテンツ転送領域の必要容量＝１８／８Ｍｂｐｓ［帯域］＊６０ｓ＊６０ｓ＊（７＊（３＋５）＊２）［時間］）／１５［画質］
＝（１８／８＊６０＊６０＊（５８）／１５
＝３１．３ＧＢ
上記のように、モバイルサーバ２００のチャネル自動録画コンテンツ転送領域２１１に必要な容量は、３２ＧＢである。
【０１４２】
なお、図１１のステップＳ１２の処理は、図９のステップＳ１の処理と同じであるので説明を省略する。
【０１４３】
次に、ステップＳ１３において、同期制御部１２４は、録画サーバ１００内にモバイルサーバ２００にない転送期間内の自動転送対象の録画コンテンツがあるか否かを判断する。ここで、モバイルサーバ２００にない転送期間内の自動転送対象の録画コンテンツがないと判断された場合（ステップＳ１３でＮＯ）、処理は終了する。一方、モバイルサーバ２００にない転送期間内の自動転送対象の録画コンテンツがあると判断された場合（ステップＳ１３でＹＥＳ）、ステップＳ１４の処理へ移行する。
【０１４４】
なお、図１１のステップＳ１４〜ステップＳ１７の処理は、図９のステップＳ３〜ステップＳ６の処理と同じであるので説明を省略する。
【０１４５】
図１２に示す自動転送対象及び転送期間指定項目は、自動転送対象であるか否かをチャネル毎に指定するための自動転送対象項目と、転送期間をチャネル毎に指定するための転送期間指定項目とに分けてもよい。
【０１４６】
例えば、６つのチャネルの録画時間帯が１８時から２５時であり、画質が１５倍であり、録画期間が指定されておらず、６つのチャネルが自動転送対象に指定され、２つのチャネルの転送期間が５日間であり、４つのチャネルの転送期間が３日間である場合、チャネル自動録画コンテンツ転送領域２１１の必要容量は、下記の式に基づいて算出される。
【０１４７】
チャネル自動録画コンテンツ転送領域の必要容量＝１８／８Ｍｂｐｓ［帯域］＊６０ｓ＊６０ｓ＊（７＊４＊３＋７＊２＊５）［時間］）／１５［画質］
＝（１８／８＊６０＊６０＊（１５４）／１５
＝８３．２ＧＢ
上記のように、モバイルサーバ２００のチャネル自動録画コンテンツ転送領域２１１に必要な容量は、８４ＧＢである。
【０１４８】
なお、上記の例では、チャネル毎に自動転送対象であるか否かを設定するとともに、チャネル毎に転送期間を設定しているが、本開示はこれに限定されず、自動的に転送する時間帯を示す転送時間帯をチャネル毎に指定してもよい。
【０１４９】
図１３は、チャネル自動録画領域１１１内の録画コンテンツをモバイルサーバ２００内のチャネル自動録画コンテンツ転送領域２１１に自動転送する自動転送処理の第２の変形例を説明するためのフローチャートである。
【０１５０】
なお、図１３のステップＳ２１の処理は、図９のステップＳ１の処理と同じであるので説明を省略する。
【０１５１】
次に、ステップＳ２２において、同期制御部１２４は、録画サーバ１００内にモバイルサーバ２００にない転送時間帯内の自動転送対象の録画コンテンツがあるか否かを判断する。
【０１５２】
自動転送用管理テーブル１６５は、チャネル自動録画対象のチャネルを指定するための録画チャネル指定項目と、一日の内の自動録画すべき時間帯を指定するための録画時間帯指定項目と、録画画質を指定するための画質指定項目と、自動転送対象であるか否かをチャネル毎に指定するための自動転送対象指定項目と、録画時間帯のうち自動転送する時間帯を指定するための転送時間帯指定項目とで構成される。
【０１５３】
録画チャネル指定項目、録画時間帯指定項目及び画質指定項目は、チャネル自動録画用管理テーブル１４７と同じである。転送時間帯は、チャネル毎に指定され、開始時間と終了時間とが指定される。なお、転送時間帯は、チャネル毎ではなく、全てのチャネルに対して一括して指定されてもよい。
【０１５４】
同期制御部１２４は、モバイルサーバ２００と通信可能になったことを検知した際に、チャネル自動録画領域１１１に記録されたコンテンツのうち、ユーザに指定されたチャネル及び時間帯のコンテンツを、モバイルサーバ２００にコピー又はムーブする。
【０１５５】
例えば、転送時間帯が指定される場合、チャネル自動録画コンテンツ転送領域２１１の使用可能量から、転送可能期間を計算することができる。この場合、録画コンテンツの画質（圧縮率）と、チャネル毎の転送時間帯とを使って、チャネル毎の１日に必要な転送容量が算出できる。そのため、同期制御部１２４は、チャネル自動録画コンテンツ転送領域２１１の容量から転送可能期間（日数）を算出できる。従って、チャネル自動録画コンテンツ転送領域２１１の記録容量が１２８ＧＢであり、６つのチャネルの録画時間帯が７時から２４時であり、画質が１５倍であり、６つのチャネルの転送時間帯が２０時から２３時である場合、転送可能期間は、下記の式に基づいて算出される。
【０１５６】
転送可能期間＝１２８ＧＢ［容量］／（１８／８Ｍｂｐｓ［帯域］＊６０ｓ＊６０ｓ＊（３＊６）［時間］）＊１５［画質］
＝１２８＊１０００／（１８／８＊６０＊６０＊１８）＊１５
＝１３．２日
上記のように、１３日分の録画コンテンツが、自動的にモバイルサーバ２００に転送可能である。
【０１５７】
また、チャネル毎に転送時間帯が指定されてもよい。例えば、チャネル自動録画コンテンツ転送領域２１１の記録容量が１２８ＧＢであり、６つのチャネルの録画時間帯が７時から２４時であり、画質が１５倍であり、Ａ放送局に対応する転送時間帯の開始時刻は８時に指定され、終了時刻は８時３０分に指定されており、Ｂ放送局、Ｃ放送局、Ｄ放送局及びＥ放送局に対応する転送時間帯の開始時刻は２０時に指定され、終了時刻は２３時に指定されており、Ｆ放送局に対応する転送時間帯の開始時刻は２３時に指定され、終了時刻は２４時に指定されている場合、転送可能期間は、下記の式に基づいて算出される。
【０１５８】
転送可能期間＝１２８ＧＢ［容量］／（１８／８Ｍｂｐｓ［帯域］＊６０ｓ＊６０ｓ＊（０．５＋３＊４＋１）［時間］）＊１５［画質］
＝１２８＊１０００／（１８／８＊６０＊６０＊１３．５）＊１５
＝１７．６日
上記のように、１７日分の録画コンテンツが、自動的にモバイルサーバ２００に転送可能である。
【０１５９】
また、録画時間帯、画質及び転送時間帯がチャネル毎に指定されてもよい。例えば、Ａ放送局、Ｂ放送局、Ｃ放送局、Ｄ放送局及びＦ放送局に対応する画質が１５倍に指定され、Ｅ放送局に対応する画質が１０倍に指定されてもよい。この場合、録画コンテンツの画質（圧縮率）が１０倍の録画コンテンツと、画質が１５倍の録画コンテンツとが混在している。そのため、例えば、チャネル自動録画コンテンツ転送領域２１１の記録容量が１２８ＧＢであり、６つのチャネルの録画時間帯が図１０と同様に指定され、５つのチャネルの画質が１５倍であり、１つのチャネルの画質が１０倍であり、Ａ放送局に対応する転送時間帯の開始時刻は８時に指定され、終了時刻は８時３０分に指定されており、Ｂ放送局、Ｃ放送局、Ｄ放送局及びＥ放送局に対応する転送時間帯の開始時刻は２０時に指定され、終了時刻は２３時に指定されており、Ｆ放送局に対応する転送時間帯の開始時刻は２３時に指定され、終了時刻は２４時に指定されている場合、転送可能期間は、下記の式に基づいて算出される。
【０１６０】
転送可能期間＝１２８ＧＢ［容量］／（１８／８Ｍｂｐｓ［帯域］＊６０ｓ＊６０ｓ）＊（０．５＋３＊３＋３＊１．５＋１）［時間］）＊１５［画質］
＝１２８＊１０００／（１８／８＊６０＊６０＊１５）＊１５
＝１５．７日
上記のように、１５日分の録画コンテンツが、自動的にモバイルサーバ２００に転送可能である。
【０１６１】
ここで、モバイルサーバ２００にない転送時間帯内の自動転送対象の録画コンテンツがないと判断された場合（ステップＳ２２でＮＯ）、処理は終了する。一方、モバイルサーバ２００にない転送時間帯内の自動転送対象の録画コンテンツがあると判断された場合（ステップＳ２２でＹＥＳ）、ステップＳ２３の処理へ移行する。
【０１６２】
なお、図１３のステップＳ２３〜ステップＳ２６の処理は、図９のステップＳ３〜ステップＳ６の処理と同じであるので説明を省略する。
【０１６３】
なお、上記の例では、チャネル毎に自動転送対象であるか否かを設定するとともに、チャネル毎に転送時間帯を設定しているが、本開示はこれに限定されず、自動的に転送する時間帯を示す転送時間帯に加えて、転送する録画コンテンツのジャンルを指定してもよい。
【０１６４】
図１４は、チャネル自動録画領域１１１内の録画コンテンツをモバイルサーバ２００内のチャネル自動録画コンテンツ転送領域２１１に自動転送する自動転送処理の第３の変形例を説明するためのフローチャートである。
【０１６５】
なお、図１４のステップＳ３１の処理は、図９のステップＳ１の処理と同じであるので説明を省略する。
【０１６６】
次に、ステップＳ３２において、同期制御部１２４は、録画サーバ１００内にモバイルサーバ２００にない転送時間帯内かつジャンルの自動転送対象の録画コンテンツがあるか否かを判断する。
【０１６７】
図１５は、機器ＩＤ毎の自動転送用管理テーブル１６５の他の例を示す図である。
【０１６８】
自動転送用管理テーブル１６５は、チャネル自動録画対象のチャネルを指定するための録画チャネル指定項目と、一日の内の自動録画すべき時間帯を指定するための録画時間帯指定項目と、録画画質を指定するための画質指定項目と、自動転送対象であるか否かをチャネル毎に指定するための自動転送対象指定項目と、録画時間帯のうち自動転送する時間帯を指定するための転送時間帯指定項目と、自動転送する録画コンテンツのジャンルを指定するためのジャンル指定項目とで構成される。
【０１６９】
録画チャネル指定項目、録画時間帯指定項目及び画質指定項目は、チャネル自動録画用管理テーブル１４７と同じである。転送時間帯は、チャネル毎に指定され、開始時間と終了時間とが指定される。また、ジャンルは、チャネル毎に指定され、例えば、ニュース、ドラマ、バラエティ、音楽、アニメ及びスポーツ等が指定される。
【０１７０】
図１５に示すように、チャネル自動録画コンテンツ転送領域２１１の記録容量が１２８ＧＢであり、指定された転送時間帯において、バラエティが２．５時間／日、ドラマが３時間／日、ニュースが０．５時間／日であり、転送時間の合計が６時間である場合、転送可能期間は、下記の式に基づいて算出される。
【０１７１】
転送可能期間＝１２８ＧＢ［容量］／（１８／８Ｍｂｐｓ［帯域］＊６０ｓ＊６０ｓ＊（６）［時間］）＊１５［画質］
＝１２８＊１０００／（１８／８＊６０＊６０＊６）＊１５
＝３９．６日
上記のように、３９日分の録画コンテンツが、自動的にモバイルサーバ２００に転送可能である。
【０１７２】
ここで、モバイルサーバ２００にない転送時間帯内かつジャンルの自動転送対象の録画コンテンツがないと判断された場合（ステップＳ３２でＮＯ）、処理は終了する。一方、モバイルサーバ２００にない転送時間帯内かつジャンルの自動転送対象の録画コンテンツがあると判断された場合（ステップＳ３２でＹＥＳ）、ステップＳ３３の処理へ移行する。
【０１７３】
なお、図１４のステップＳ３３〜ステップＳ３６の処理は、図９のステップＳ３〜ステップＳ６の処理と同じであるので説明を省略する。
【０１７４】
なお、図１５において、転送時間帯及びジャンルは、チャネル毎ではなく、全てのチャネルに対して一括して指定されてもよい。同期制御部１２４は、転送時間帯内の各録画コンテンツのジャンル情報を確認することで、自動転送対象の録画コンテンツを選択し、選択された録画コンテンツの容量の総和を算出することにより必要な転送容量を算出することができる。このため、同期制御部１２４は、チャネル自動録画コンテンツ転送領域２１１の容量から転送可能期間（日数）を算出することができる。従って、チャネル自動録画コンテンツ転送領域２１１の記録容量が１２８ＧＢであり、画質が１５倍であり、転送時間帯において、ニュースが５時間／日、ドラマが６時間／日、アニメが１時間／日であり、転送時間の合計が１２時間である場合、転送可能期間は、下記の式に基づいて算出される。
【０１７５】
転送可能期間＝１２８ＧＢ［容量］／（１８／８Ｍｂｐｓ［帯域］＊６０ｓ＊６０ｓ＊（１２）［時間］）＊１５［画質］
＝１２８＊１０００／（１８／８＊６０＊６０＊１２）＊１５
＝１９．８日
上記のように、１９日分の録画コンテンツが、自動的にモバイルサーバ２００に転送可能である。
【０１７６】
また、チャネル毎に録画コンテンツを自動転送するか否かを設定してもよい。自動転送対象指定項目が「休止」に設定されている場合は、当該チャネルの録画コンテンツは転送されない。
【０１７７】
例えば、チャネル自動録画コンテンツ転送領域２１１の記録容量が１２８ＧＢであり、画質が１５倍であり、２つのチャネルに対して自動転送しないと設定されており、転送時間帯において、ニュースが３時間／日、ドラマが４時間／日、アニメが１時間／日であり、転送時間の合計が８時間である場合、転送可能期間は、下記の式に基づいて算出される。
【０１７８】
転送可能期間＝１２８ＧＢ［容量］／（１８／８Ｍｂｐｓ［帯域］＊６０ｓ＊６０ｓ＊（８）［時間］）＊１５［画質］
＝１２８＊１０００／（１８／８＊６０＊６０＊１２）＊１５
＝２９．７日
上記のように、２９日分の録画コンテンツが、自動的にモバイルサーバ２００に転送可能である。
【０１７９】
また、図１５において、転送時間帯は、チャネル毎ではなく、全てのチャネルに対して一括して指定され、ジャンルは、チャネル毎に指定されてもよい。チャネル毎に自動転送するか否かの指定に加え、録画コンテンツの転送時間帯とチャネル毎のジャンルとの両方の指定ができる。この場合、同期制御部１２４は、転送時間帯内のチャネル毎の録画コンテンツのジャンル情報を確認することで、自動転送対象の録画コンテンツを選択し、選択された録画コンテンツの容量の総和を算出することにより必要な転送容量を算出することができる。このため、同期制御部１２４は、チャネル自動録画コンテンツ転送領域２１１の記録容量から転送可能期間（日数）を算出できる。従って、チャネル自動録画コンテンツ転送領域２１１の記録容量が１２８ＧＢであり、画質が１５倍であり、転送時間帯における６つのチャネルの平均録画対象時間が２時間／日である場合、転送可能期間は、下記の式に基づいて算出される。
【０１８０】
転送可能期間＝１２８ＧＢ［容量］／（１８／８Ｍｂｐｓ［帯域］＊６０ｓ＊６０ｓ＊（１２）［時間］）＊１５［画質］
＝１２８＊１０００／（１８／８＊６０＊６０＊１２）＊１５
＝１９．８日
上記のように、１９日分の録画コンテンツが、自動的にモバイルサーバ２００に転送可能である。
【０１８１】
また、例えば、チャネル自動録画コンテンツ転送領域２１１の記録容量が１２８ＧＢであり、画質が１５倍であり、Ａ放送局に対応する転送時間帯の開始時刻は８時に指定され、終了時刻は８時３０分に指定されており、Ｂ放送局、Ｃ放送局、Ｄ放送局及びＥ放送局に対応する転送時間帯の開始時刻は２０時に指定され、終了時刻は２３時に指定されており、Ｆ放送局に対応する転送時間帯の開始時刻は２３時に指定され、終了時刻は２４時に指定され、Ａ放送局に対応するジャンルはニュース及びドラマが指定され、Ｂ放送局に対応するジャンルはドラマが指定され、Ｃ放送局に対応するジャンルは音楽が指定され、Ｄ放送局に対応するジャンルはバラエティが指定され、Ｅ放送局に対応するジャンルはドラマが指定され、Ｆ放送局に対応するジャンルはニュースが指定され、転送時間帯のバラエティが３時間／日、ドラマが４時間／日、ニュースが１時間／日であり、転送時間の合計が８時間である場合、転送可能期間は、下記の式に基づいて算出される。
【０１８２】
転送可能期間＝１２８ＧＢ［容量］／（１８／８Ｍｂｐｓ［帯域］＊６０ｓ＊６０ｓ＊（８）［時間］）＊１５［画質］
＝１２８＊１０００／（１８／８＊６０＊６０＊８）＊１５
＝２９．７日
上記のように、２９日分の録画コンテンツが、自動的にモバイルサーバ２００に転送可能である。
【０１８３】
なお、図１４に示す自動転送処理では、同期制御部１２４は、録画サーバ１００内にモバイルサーバ２００にない転送時間帯内かつジャンルの自動転送対象の録画コンテンツがあるか否かを判断しているが、本開示はこれに限定されず、同期制御部１２４は、録画サーバ１００内にモバイルサーバ２００にないジャンルの自動転送対象の録画コンテンツがあるか否かを判断してもよい。
【０１８４】
この場合、自動転送用管理テーブル１６５は、チャネル自動録画対象のチャネルを指定するための録画チャネル指定項目と、一日の内の自動録画すべき時間帯を指定するための録画時間帯指定項目と、録画画質を指定するための画質指定項目と、自動転送対象であるか否かをチャネル毎に指定するための自動転送対象指定項目と、自動転送する録画コンテンツのジャンルを指定するためのジャンル指定項目とで構成される。
【０１８５】
同期制御部１２４は、モバイルサーバ２００と通信可能になったことを検知した際に、チャネル自動録画領域１１１に記録されたコンテンツのうち、ユーザによって指定されたジャンルに対応するコンテンツを、モバイルサーバ２００にコピー又はムーブする。
【０１８６】
チャネル毎に自動転送するか否かの指定に加え、録画コンテンツのジャンルの指定ができる。ジャンルは、チャネル毎ではなく、全てのチャネルに対して一括して指定される。同期制御部１２４は、チャネル自動録画コンテンツ転送領域２１１の使用可能量から、転送期間を計算する。この場合、同期制御部１２４は、各録画コンテンツのジャンル情報を確認することで、自動転送対象の録画コンテンツを選択し、選択された録画コンテンツの容量の総和を算出することにより必要な転送容量を算出することができる。このため、同期制御部１２４は、チャネル自動録画コンテンツ転送領域２１１の記録容量から転送可能期間（日数）を算出できる。従って、チャネル自動録画コンテンツ転送領域２１１の記録容量が１２８ＧＢであり、画質が１５倍であり、ニュースが６時間／日、ドラマが９時間／日、アニメが３時間／日であり、転送時間の合計が１８時間である場合、転送可能期間は、下記の式に基づいて算出される。
【０１８７】
転送可能期間＝１２８ＧＢ［容量］／（１８／８Ｍｂｐｓ［帯域］＊６０ｓ＊６０ｓ＊（１８）［時間］）＊１５［画質］
＝１２８＊１０００／（１８／８＊６０＊６０＊１８）＊１５
＝１３．２日
上記のように、１３日分の録画コンテンツが、自動的にモバイルサーバ２００に転送可能である。
【０１８８】
また、チャネル毎に自動転送するか否かの指定に加え、チャネル毎に録画コンテンツのジャンルの指定ができる。ジャンルは、チャネル毎に指定される。同期制御部１２４は、チャネル自動録画コンテンツ転送領域２１１の使用可能量から、転送期間を計算する。この場合、同期制御部１２４は、各録画コンテンツのジャンル情報を確認することで、自動転送対象の録画コンテンツを選択し、選択された録画コンテンツの容量の総和を算出することにより必要な転送容量を算出することができる。このため、同期制御部１２４は、チャネル自動録画コンテンツ転送領域２１１の記録容量から転送可能期間（日数）を算出できる。従って、チャネル自動録画コンテンツ転送領域２１１の記録容量が１２８ＧＢであり、画質が１５倍であり、各チャネルの平均録画対象時間が３時間／日である場合、転送可能期間は、下記の式に基づいて算出される。
【０１８９】
転送可能期間＝１２８ＧＢ［容量］／（１８／８Ｍｂｐｓ［帯域］＊６０ｓ＊６０ｓ＊（１８）［時間］）＊１５［画質］
＝１２８＊１０００／（１８／８＊６０＊６０＊１８）＊１５
＝１３．２日
上記のように、１３日分の録画コンテンツが、自動的にモバイルサーバ２００に転送可能である。
【０１９０】
図１６及び図１７は、図１５に示す自動転送用管理テーブル１６５を２つに分離した例を示す図である。
【０１９１】
図１６は、チャネル自動録画用管理テーブルの一例を示す図であり、図１７は、自動転送用管理テーブルの一例を示す図である。
【０１９２】
２つのテーブルの情報を繋ぐために、両方のテーブルに録画チャネルＩＤの項目が追加されている。この録画チャネルＩＤにより、２つのテーブルの関係が定義されている。
【０１９３】
図１８は、本実施の形態におけるモバイルサーバの基本構成を示す図である。
【０１９４】
モバイルサーバ２００は、システム制御部２２１、同期制御部２２４、記録装置制御部２２５、再生制御部２２６及び機器ＩＤ管理部２６１を備える。
【０１９５】
機器ＩＤ管理部２６１は、録画サーバ１００等の機器からモバイルサーバ２００を識別するため、またはモバイルサーバ２００内に格納される録画コンテンツの暗号処理等に使う機器ＩＤを管理する。
【０１９６】
同期制御部２２４は、モバイルサーバ２００と録画サーバ１００と間の通信を行うためのＵＳＢ通信制御部２３２又はＷｉ−Ｆｉ通信制御部２３１を備える。また、同期制御部２２４は、チャネル自動録画コンテンツ転送領域２１１及び個別録画コンテンツ転送領域２１２を管理する記録領域管理部２２３を備える。同期制御部２２４は、録画サーバ１００からの録画コンテンツ等の情報を受け取り記録装置制御部２２５に転送することで、記録装置制御部２２５内のチャネル自動録画コンテンツ転送領域２１１又は個別録画コンテンツ転送領域２１２に録画コンテンツを記録する。
【０１９７】
記録装置制御部２２５は、チャネル自動録画コンテンツ転送領域２１１及び個別録画コンテンツ転送領域２１２を備える。記録装置制御部２２５は、チャネル自動録画コンテンツ転送領域２１１及び個別録画コンテンツ転送領域２１２を制御する。
【０１９８】
再生制御部２２６は、記録装置制御部２２５内のチャネル自動録画コンテンツ転送領域２１１又は個別録画コンテンツ転送領域２１２に記録された録画コンテンツを、携帯情報端末５００、車載テレビ６００又はＤＬＮＡ対応テレビ４１０等の映像視聴が可能な機器に送信し、映像視聴を実現する。再生制御部２２６は、ＤＬＮＡ／ＤＴＣＰ通信部２２７を備える。
【０１９９】
システム制御部２２１は、モバイルサーバ２００の全体を制御する。
【０２００】
同期制御部２２４は、録画サーバ１００内の録画コンテンツが暗号化されたコンテンツであり、モバイルサーバ２００内に格納する場合も暗号化して格納することを製品化の条件等として規定される場合は、ＣＰＲＭ又はＡＡＣＳ等の規定に従って録画コンテンツを暗号化処理した上で、チャネル自動録画コンテンツ転送領域２１１又は個別録画コンテンツ転送領域２１２に格納する。
【０２０１】
再生制御部２２６は、チャネル自動録画コンテンツ転送領域２１１又は個別録画コンテンツ転送領域２１２内の録画コンテンツが暗号化されている場合は、暗号化方式の規定に基づいて、ＤＴＣＰ／ＩＰ等の適切な暗号処理を施した上で、携帯情報端末５００又はＤＬＮＡ対応テレビ４１０等に転送する。
【０２０２】
なお、モバイルサーバ２００は、携帯情報端末５００又は車載テレビ６００等で視聴する際に、外部からの電源供給が無い状況で動作することが求められている場合は、充電可能な２次電池を内蔵してもよい。
【０２０３】
モバイルサーバ２００は、宅外に持ち出され、カバンの中に入れたままで、携帯情報端末５００又は車載テレビ６００等で視聴することも想定されるため、電源のオン／オフ等の最低限のＵＩのみを備える。録画コンテンツの転送処理の設定等は、録画サーバ１００で行われ、格納された録画コンテンツの視聴操作は、映像視聴機器である携帯情報端末５００又は車載テレビ６００で行われる。
【０２０４】
記録装置制御部２２５は、個別録画コンテンツ転送領域２１２に要求される記録容量に応じて、チャネル自動録画コンテンツ転送領域２１１の容量を決めることができる。また、記録装置制御部２２５は、録画サーバ１００からの指示により、チャネル自動録画コンテンツ転送領域２１１の記録容量又は最低限確保すべき容量等を規定することもできる。
【０２０５】
なお、図１８に示す構成例では、ポータブルＨＤＤ（Ｈａｒｄ  Ｄｉｓｋ  Ｄｒｉｖｅ）又はポータブルＳＳＤ（Ｓｏｌｉｄ  Ｓｔａｔｅ  Ｄｒｉｖｅ）のような受動的な機器を想定しているが、大容量のＳＳＤのような２次記録装置を持ったタブレット型コンピュータのようなモバイル機器を使って、ソフト実装することも可能である。
【０２０６】
モバイルサーバ２００は、内蔵型記録媒体である記録装置制御部２２５に代えて、可搬型記録媒体を備えてもよい。可搬型記録媒体は、チャネル自動録画コンテンツ転送領域２１１と個別録画コンテンツ転送領域２１２とを備える。また、録画サーバ１００は、機器ＩＤに代えて、可搬型記録媒体のメディアＩＤにより管理する。このため、モバイルサーバ２００の本体は１つであっても、複数の前記可搬型記録媒体が利用されることにより、異なった設定の録画コンテンツを格納することも可能になる。例えば、第１の可搬型記録媒体にはニュース番組として放送されたコンテンツのみを自動伝送し、第２の可搬型記録媒体にはドラマ又はドキュメンタリー番組として放送されたコンテンツを自動転送し、携帯情報端末５００等で録画コンテンツを視聴する際に、第１の可搬型記録媒体及び第２の可搬型記録媒体を入れ替えてもよい。
【０２０７】
なお、この構成例では、モバイルサーバ２００は、ポータブルＨＤＤ、ポータブルＳＳＤ、又はメディアカードリーダのような受動的な機器を想定しているが、ＳＤメモリーカード等のメディアカードスロットを持ったタブレット型コンピュータのようなモバイル機器を使って、ソフト実装することも可能である。
【０２０８】
また、モバイルサーバ２００は、内蔵型記録媒体と可搬型記録媒体とを備えてもよい。記録装置制御部２２５で管理する内蔵記録装置は、チャネル自動録画コンテンツ転送領域２１１を備え、可搬型記録媒体は、個別録画コンテンツ転送領域２１２を備える。
【０２０９】
なお、この構成例では、ポータブルＨＤＤ、ポータブルＳＳＤ、又はメディアカードリーダのような受動的な機器を想定しているが、大容量のＳＳＤのような２次記録装置とＳＤメモリーカード等のメディアカードスロットとを持ったタブレット型コンピュータのようなモバイル機器を使って、ソフト実装することも可能である。
【０２１０】
なお、記録装置制御部２２５で管理する内蔵記録装置は、個別録画コンテンツ転送領域２１２を備え、可搬型記録媒体は、チャネル自動録画コンテンツ転送領域２１１を備えてもよい。
【０２１１】
なお、この構成例では、ポータブルＨＤＤ、ポータブルＳＳＤ、又はメディアカードリーダのような受動的な機器を想定しているが、大容量のＳＳＤのような２次記録装置とＳＤメモリーカード等のメディアカードスロットとを持ったタブレット型コンピュータのようなモバイル機器を使って、ソフト実装することも可能である。
【０２１２】
また、再生制御部２２６は、ＨＤＭＩ等を経由して通常のＨＤＭＩ対応テレビで視聴できるように、ＡＶデコーダ及びＨＤＭＩ通信制御部をさらに備えてもよい。この構成の場合、モバイル機器に加え、宅内のＨＤＭＩ対応テレビでもモバイルサーバ２００内の録画コンテンツを視聴可能になる。
【０２１３】
また、再生制御部２２６は、携帯情報端末５００等のモバイル端末内にソフト実装することも可能である。
【０２１４】
図１９は、本実施の形態におけるポータブルビデオビューワの基本構成を示す図である。
【０２１５】
ポータブルビデオビューワ２０１は、システム制御部２２１、入出力制御部２２８、同期制御部２２４、記録装置制御部２２５、再生制御部２２６、機器ＩＤ管理部２６１及び表示装置制御部２５１を備える。
【０２１６】
再生制御部２２６は、ＤＬＮＡ／ＤＴＣＰ通信部２２７、ＡＶデコーダ２３３及びＨＤＭＩ通信制御部２４３を備える。
【０２１７】
ＡＶデコーダ２３３によって再生された映像信号は、ＨＤＭＩ通信制御部２４３を経由して外部のＨＤＭＩ対応テレビ４２０等に出力されて視聴される。また、表示装置制御部２５１は、液晶又はＯＬＥＤ（Ｏｒｇａｎｉｃ  Ｌｉｇｈｔ  Ｅｍｉｔｔｉｎｇ  Ｄｉｏｄｅ）等で構成される小型の表示装置２５２と、映像信号を表示装置２５２に表示するためのダウンコンバージョン処理等を行う表示制御部２５３とを備え、ポータブルビデオビューワ２０１自体で、録画コンテンツの視聴を可能にしている。
【０２１８】
ポータブルビデオビューワ２０１の構成は、図１８のモバイルサーバ２００の構成を基にしている。また、ポータブルビデオビューワ２０１の構成は、携帯情報端末５００等のモバイル端末内にソフト実装することも可能である。
【０２１９】
続いて、録画サーバ１００内の機器ＩＤやメディアＩＤを管理するモバイル機器ＩＤ管理テーブル１６２について説明する。
【０２２０】
モバイル機器ＩＤ管理テーブル１６２は、機器ＩＤ又はメディアＩＤを示す項目と、各機器又は各メディアがチャネル自動転送に対応しているか否かを示す項目と、チャネル自動録画コンテンツ転送領域２１１の容量を示す項目と、個別録画領域１１２の自動転送に対応しているか否かを示す項目とを含む。モバイル機器ＩＤ管理テーブル１６２により、機器又はメディア毎に同期処理時の転送処理内容を管理できる。
【０２２１】
なお、機器ＩＤとメディアＩＤとは、１つの項目で記載する代わりに、２つの別個の項目で記載してもよい。
【０２２２】
図２０は、個別録画領域１１２内のコピー可能録画コンテンツ３０２又はムーブ専用録画コンテンツ３１２をモバイルサーバ２００内の個別録画コンテンツ転送領域２１２に転送する転送処理を説明するためのフローチャートである。
【０２２３】
まず、ステップＳ４１において、同期制御部１２４は、個別転送用管理テーブル１６６に転送対象録画コンテンツがあるか否かを判断する。
【０２２４】
図２１は、個別転送用管理テーブル１６６の一例を示す図である。
【０２２５】
図２１に示すように、個別転送用管理テーブル１６６では、転送対象になりうる録画コンテンツを指定するための録画コンテンツ指定項目と、自動転送対象を指定するための項目と、ダビング１又はダビング１０等の録画コンテンツの属性を示す属性情報項目と、転送可能回数を管理するための項目とから構成される。
【０２２６】
属性情報に応じて、図２０のフローチャートで示す転送処理が異なる。つまり、録画コンテンツが無料放送コンテンツ（ダビング１０コンテンツ）である場合は、録画サーバ１００で管理している１０個以内の全ての機器が、自動転送対象の機器になりうるが、録画コンテンツが有料放送コンテンツ（ダビング１コンテンツ）である場合は、１回しか転送できないため、１つの機器が、自動転送対象の機器になり、転送する機器を１つのみ指定する必要がある。その上、有料放送コンテンツ（ダビング１コンテンツ）は、１回しか転送できないため、どの機器にも転送しない指定も可能にしている。
【０２２７】
ここで、個別転送用管理テーブル１６６に転送対象録画コンテンツがないと判断された場合（ステップＳ４１でＮＯ）、処理は終了する。
【０２２８】
一方、個別転送用管理テーブル１６６に転送対象録画コンテンツがあると判断された場合（ステップＳ４１でＹＥＳ）、ステップＳ４２において、同期制御部１２４は、個別転送用管理テーブル１６６内の情報を使い、転送対象録画コンテンツがダビング１コンテンツ（ムーブ対象コンテンツ）であるか否かを判断する。
【０２２９】
ここで、転送対象録画コンテンツがダビング１コンテンツであると判断された場合（ステップＳ４２でＹＥＳ）、ステップＳ４３において、同期制御部１２４は、転送録画コンテンツに自動転送先機器が設定されているか否かを判断する。ここで、転送録画コンテンツに自動転送先機器が設定されていないと判断された場合（ステップＳ４３でＮＯ）、ステップＳ４４において、同期制御部１２４は、転送不要と判断し、ステップＳ４１の処理に戻る。
【０２３０】
一方、転送録画コンテンツに自動転送先機器が設定されていると判断された場合（ステップＳ４３でＹＥＳ）、ステップＳ４５において、同期制御部１２４は、転送対象録画コンテンツが自動転送先機器に未転送であるか否かを判断する。ここで、転送対象録画コンテンツが自動転送先機器に未転送ではないと判断された場合、すなわち転送対象録画コンテンツが自動転送先機器に転送済みであると判断された場合（ステップＳ４５でＮＯ）、ステップＳ４４の処理へ移行する。
【０２３１】
一方、転送対象録画コンテンツが自動転送先機器に未転送であると判断された場合（ステップＳ４５でＹＥＳ）、ステップＳ４６において、同期制御部１２４は、次回同期時に転送対象録画コンテンツをムーブするように設定し、ステップＳ４１の処理へ戻る。
【０２３２】
一方、転送対象録画コンテンツがダビング１コンテンツではないと判断された場合、すなわち転送対象録画コンテンツがダビング１０コンテンツであると判断された場合（ステップＳ４２でＮＯ）、ステップＳ４７において、同期制御部１２４は、転送対象録画コンテンツの転送可能回数がゼロであるか否かを判断する。ここで、転送対象録画コンテンツの転送可能回数がゼロであると判断された場合（ステップＳ４７でＹＥＳ）、ステップＳ４４の処理へ移行する。
【０２３３】
一方、転送対象録画コンテンツの転送可能回数がゼロではないと判断された場合（ステップＳ４７でＮＯ）、ステップＳ４８において、同期制御部１２４は、転送録画コンテンツに自動転送先機器が設定されているか否かを判断する。ここで、転送録画コンテンツに自動転送先機器が設定されていないと判断された場合（ステップＳ４８でＮＯ）、ステップＳ４４の処理へ移行する。
【０２３４】
一方、転送録画コンテンツに自動転送先機器が設定されていると判断された場合（ステップＳ４８でＹＥＳ）、ステップＳ４９において、同期制御部１２４は、転送対象録画コンテンツが自動転送先機器に未転送であるか否かを判断する。ここで、転送対象録画コンテンツが自動転送先機器に未転送ではないと判断された場合、すなわち転送対象録画コンテンツが自動転送先機器に転送済みであると判断された場合（ステップＳ４９でＮＯ）、ステップＳ４４の処理へ移行する。
【０２３５】
一方、転送対象録画コンテンツが自動転送先機器に未転送であると判断された場合（ステップＳ４９でＹＥＳ）、ステップＳ５０において、同期制御部１２４は、次回同期時に転送対象録画コンテンツをコピーするように設定する。
【０２３６】
次に、ステップＳ５１において、同期制御部１２４は、転送対象録画コンテンツの転送回数を１つ削減し、ステップＳ４１の処理へ戻る。
【０２３７】
なお、図２１に示す個別転送用管理テーブル１６６は、さらに、録画コンテンツ毎に録画画質を指定するための画質指定項目と、各録画コンテンツのサイズ（容量又は再生時間）を示すサイズ項目とを含んでもよい。
【０２３８】
画質がＤＲ画質（ＭＰＥＧ２の放送画質）である場合、同期処理時にＭＰＥＧ−４  ＡＶＣ等のモバイル用の圧縮データにトランスコードすると転送時間が非常に長くなり、実用的でないため、同期前にトランスコードしてもよい。この際、ＤＲ画質の録画コンテンツを残して転送用の圧縮した録画コンテンツを作成する設定と、ＤＲ画質の録画コンテンツを消して転送用の圧縮した録画コンテンツを作成する設定とが選択的に行われる。さらに、ＤＲ画質の録画コンテンツがダビング１コンテンツであり、ＤＲ画質の録画コンテンツを残す設定が行われた場合は、転送用録画コンテンツを再生処理できないようにする必要がある。
【０２３９】
また、図２１に示す個別転送用管理テーブル１６６は、さらに、個々の機器又はメディアに転送予約する状況が解るための項目を備えてもよい。この項目により、録画サーバ１００は、複数の機器又はメディアへの自動転送処理を管理することができる。
【０２４０】
図２２は、本実施の形態の録画システムにおける録画コンテンツの流れの第２の変形例を示す図である。図２２に示す録画サーバ１００は、図３の録画サーバ１００の構成に、チェックイン／チェックアウト処理部（ＣＩ／ＣＯ処理部）１９２を追加した構成である。
【０２４１】
ムーブ専用録画コンテンツ３１１がモバイルサーバ２００に転送された場合、録画サーバ１００は、元のムーブ専用録画コンテンツ３１１を消す（再生できなくする）必要がある。このため、録画コンテンツがモバイルサーバ２００へ転送された後、モバイルサーバ２００での視聴が終わる又は中止して、モバイルサーバ２００から当該録画コンテンツを削除する場合は、同期時に、モバイルサーバ２００から録画サーバ１００に録画コンテンツを逆転送する。
【０２４２】
チェックイン／チェックアウト処理部１９２は、実際に録画コンテンツを逆転送してもよい。また、チェックイン／チェックアウト処理部１９２は、録画サーバ１００からモバイルサーバ２００に録画コンテンツを転送（チェックアウト）する際に、録画サーバ１００内の録画コンテンツを削除する代わりに、再生不可能な状態にしてもよい。そして、チェックイン／チェックアウト処理部１９２は、モバイルサーバ２００で当該コンテンツを削除した後に再度同期処理をした際に、再生不可能な状態にしていた録画サーバ１００内の録画コンテンツを再生可能な状態に戻すことでチェックイン処理を行ってもよい。
【０２４３】
図２３及び図２４は、個別録画領域１１２内のコピー可能録画コンテンツ３０２又はムーブ専用録画コンテンツ３１２をモバイルサーバ２００内の個別録画コンテンツ転送領域２１２に転送する転送処理の変形例を説明するためのフローチャートである。
【０２４４】
なお、図２３のステップＳ６１〜ステップＳ６６の処理は、図２０のステップＳ４１〜ステップＳ４６の処理と同じであるので説明を省略する。
【０２４５】
ステップＳ６７において、同期制御部１２４は、チェックイン／チェックアウト処理として、録画サーバ１００からモバイルサーバ２００に転送対象録画コンテンツを転送する際に、録画サーバ１００内の転送対象録画コンテンツを削除するのではなく、再生不可能な状態に設定する（チェックアウト処理）。
【０２４６】
一方、ステップ６５において、転送対象録画コンテンツが自動転送先機器に未転送ではないと判断された場合、すなわち転送対象録画コンテンツが自動転送先機器に転送済みであると判断された場合（ステップＳ６５でＮＯ）、ステップＳ６８において、同期制御部１２４は、転送対象録画コンテンツがモバイルサーバ２００で削除されているか否かを判断する。ここで、転送対象録画コンテンツがモバイルサーバ２００で削除されていないと判断された場合（ステップＳ６８でＮＯ）、ステップＳ６４の処理へ移行する。
【０２４７】
一方、転送対象録画コンテンツがモバイルサーバ２００で削除されていると判断された場合（ステップＳ６８でＹＥＳ）、ステップＳ６９において、同期制御部１２４は、再度同期処理した際に、再生不可能な状態に設定されている録画サーバ１００内の転送対象録画コンテンツを再生可能な状態に設定する（チェックイン処理）。
【０２４８】
なお、図２３のステップＳ７０〜ステップＳ７４の処理は、図２０のステップＳ４７〜ステップＳ５１の処理と同じであるので説明を省略する。
【０２４９】
図２５は、本実施の形態の録画システムにおける録画コンテンツの流れの第３の変形例を示す図である。図２５では、図２２のチェックイン／チェックアウト処理部１９２の対象をムーブ専用録画コンテンツ３１２に加え、コピー可能録画コンテンツ３０２も対象にした構成である。
【０２５０】
この場合、チェックイン／チェックアウト処理の対象に、コピー可能録画コンテンツ３０２を加えるために、ステップＳ７５及びステップＳ７６の処理が図２３のフローチャートに追加される。
【０２５１】
すなわち、ステップＳ６２において、転送対象録画コンテンツがダビング１コンテンツ（チェックイン／チェックアウト処理の対象のコンテンツ）であると判断された場合（ステップＳ６２でＹＥＳ）、ステップＳ７５において、同期制御部１２４は、転送対象録画コンテンツの転送可能回数が１であるか否かを判断する。ここで、転送対象録画コンテンツの転送可能回数が１ではないと判断された場合（ステップＳ７５でＮＯ）、ステップＳ７０の処理へ移行する。
【０２５２】
一方、転送対象録画コンテンツの転送可能回数が１であると判断された場合（ステップＳ７５でＹＥＳ）、ステップＳ７６において、同期制御部１２４は、次回同期時に転送対象録画コンテンツをムーブするように設定する。このとき、同期制御部１２４は、録画サーバ１００からモバイルサーバ２００に転送対象録画コンテンツを転送する際に、録画サーバ１００内の転送対象録画コンテンツを削除するのではなく、再生不可能な状態に設定する（チェックアウト処理）。そして、同期制御部１２４は、転送回数を０にし、ステップＳ６１の処理へ戻る。
【０２５３】
図２６は、モバイル機器ＩＤ管理テーブルの他の例を示す図である。
【０２５４】
図２６に示すモバイル機器ＩＤ管理テーブルは、機器ＩＤ毎又はメディアＩＤ毎にチェックイン／チェックアウト処理の対象にするか否かを指定する個別録画チェックイン／チェックアウト対応項目を追加している。
【０２５５】
図２７は、本実施の形態における録画サーバ１００の基本構成の第１の変形例を示す図である。
【０２５６】
録画サーバ１００は、光ディスクドライブ１５１によって再生される光ディスク３２０が指定する光ディスク転送許諾サーバ３３０にネットワークを介してアクセスし、光ディスク３２０に記録された光ディスクコンテンツを録画サーバ１００からモバイルサーバ２００へ転送することを許諾する転送許諾を光ディスク転送許諾サーバ３３０から取得し、転送許諾を取得した際に、光ディスクコンテンツを個別録画領域１１２に転送（コピー）する。この点が、図７の録画サーバ１００の構成と異なる点である。なお、光ディスク３２０は、例えばＢｌｕ−ｒａｙ（登録商標）ディスクである。
【０２５７】
光ディスク等の映像用パッケージメディアに記録されているコンテンツのコピーは、一般的に禁止されているが、ＡＡＣＳ（Ａｄｖａｎｃｅｄ  Ａｃｃｅｓｓ  Ｃｏｎｔｅｎｔ  Ｓｙｓｔｅｍ）のマネージド・コピーの規定により、コンテンツ権利者が、ネットワークサーバ等で許諾した場合は、許諾された回数だけコピーを作成することができる。このため、光ディスク内のコンテンツのコピーが許諾され、個別録画領域１１２に格納された後は、有料放送コンテンツ（ダビング１コンテンツ）と同様に管理することができる。
【０２５８】
この場合、光ディスク再生／記録制御部１５２は、光ディスクドライブ１５１によって再生される光ディスク３２０が指定する光ディスク転送許諾サーバ３３０にネットワークを介してアクセスし、光ディスク３２０に記録された光ディスクコンテンツを録画サーバ１００からモバイルサーバ２００へ転送することを許諾する転送許諾を光ディスク転送許諾サーバ３３０から取得する。光ディスク再生／記録制御部１５２は、転送許諾を取得した際に、光ディスクコンテンツを個別録画領域１１２にコピーする。
【０２５９】
同期制御部１２４は、モバイルサーバ２００と通信可能になったことを検知し、且つ、個別録画領域１１２にコピーされた光ディスクコンテンツが自動的にコピー又は自動的にムーブする対象としてユーザによって指定されている場合、モバイルサーバ２００に光ディスクコンテンツを自動的にコピー又はムーブする。
【０２６０】
図２８は、本実施の形態における録画サーバ１００の基本構成の第２の変形例を示す図である。
【０２６１】
録画サーバ１００は、映像配信サーバ３４０から購入したコンテンツを個別録画領域１１２に転送する。この点が、図２７の録画サーバ１００の構成と異なる点である。
【０２６２】
映像配信サービスで購入したコンテンツも、許諾を得て個別録画領域１１２に転送した光ディスクコンテンツと同様に、個別録画領域１１２に格納された後は、有料放送コンテンツ（ダビング１コンテンツ）と同様に管理することができる。
【０２６３】
但し、映像配信サーバ３４０からコンテンツが配信される際又は光ディスクのコピーが許諾される際に、コンテンツ権利者は、コピー回数を指定することができる。そのため、録画サーバ１００は、複数回数のコピーの許諾を受けることも可能であり、この場合、ダビング１０コンテンツのようにコピー回数の管理が必要になる。
【０２６４】
同期制御部１２４は、映像配信サーバ３４０によって配信される配信コンテンツをダウンロードし、ダウンロードされた配信コンテンツを個別録画領域１１２に記録する。
【０２６５】
また、同期制御部１２４は、モバイルサーバ２００と通信可能になったことを検知し、且つ、個別録画領域１１２に記録された配信コンテンツが自動的にコピー又は自動的にムーブの対象としてユーザによって指定されている場合、モバイルサーバ２００に配信コンテンツを自動的にコピー又はムーブする。
【０２６６】
なお、図２８において、録画システムは、光ディスクドライブ１５１、光ディスク再生／記録制御部１５２及び光ディスク転送許諾サーバ３３０を備えていなくてもよい。
【０２６７】
なお、光ディスク３２０からのコンテンツが個別録画領域１１２にムーブ専用光ディスクコンテンツとして記録され、映像配信サーバ３４０から購入したコンテンツが個別録画領域１１２にムーブ専用配信コンテンツとして記録され、記録したムーブ専用光ディスクコンテンツ又はムーブ専用配信コンテンツは、チェックイン／チェックアウト処理部１９２の対象としてチェックイン／チェックアウト処理されてもよい。
【０２６８】
このような構成では、録画サーバ１００は、無料録画コンテンツと有料録画コンテンツ（有料放送コンテンツ、光ディスクコンテンツ又は配信コンテンツ）との２つのカテゴリで録画コンテンツを管理でき、ユーザインターフェース的にも、ダビング１０コンテンツがコピー回数を管理するように、コピー回数を意識するだけで転送操作の指示（転送予約）が可能になる。
【０２６９】
この場合、図２３のフローチャートのステップＳ６２において、同期制御部１２４は、転送対象録画コンテンツがダビング１コンテンツであるか否かの判断に加え、転送対象録画コンテンツが光ディスクコンテンツ及び配信コンテンツであるか否かも判断する。これにより、ダビング１コンテンツと同様の処理で、光ディスクコンテンツ及び配信コンテンツに対するチェックイン／チェックアウト処理を実現することができる。
【０２７０】
また、図２１に示す個別転送用管理テーブル１６６の属性情報は、ダビング１コンテンツ及びダビング１０コンテンツのみを管理しているが、光ディスクコンテンツ及び配信コンテンツも管理することにより、チェックイン／チェックアウト処理を実現することができる。
【０２７１】
また、個別転送用管理テーブル１６６は、さらに、録画コンテンツ毎に録画画質を指定するための画質指定項目と、各録画コンテンツのサイズ（容量又は再生時間）を示すサイズ項目とを含んでもよい。
【０２７２】
また、個別転送用管理テーブル１６６は、さらに、個々の機器又はメディアに転送予約する状況が解るための項目を備えてもよい。
【０２７３】
図２９は、本実施の形態の録画システムにおける録画コンテンツの流れの第４の変形例を示す図である。
【０２７４】
録画サーバ１００は、静止画像、動画像又は音楽等の個人データを格納する個人データ記録領域１１３をさらに備える。モバイルサーバ２００は、ＤＳＣ、ビデオカメラ又はスマートフォン等の携帯情報端末５０１で撮影された静止画像又は動画像等の個人データを一時的に記録する個人データ一時記録領域２１３をさらに備える。モバイルサーバ２００と録画サーバ１００との間で同期処理が行われる際には、モバイルサーバ２００内の個人データ一時記録領域２１３の個人データが、自動転送部１８４によって、ユーザが指定した方法で、録画サーバ１００内の個人データ記録領域１１３内に転送される転送処理１８５が行われる。
【０２７５】
同期制御部１２４は、ユーザによって撮影された静止画像データ又は動画像データを含む個人データを記録媒体の個人データ記録領域１１３に記録する。
【０２７６】
モバイルサーバ２００は、個人データを記録している。同期制御部１２４は、モバイルサーバ２００と通信可能になったことを検知した際に、モバイルサーバ２００に記録されている個人データをモバイルサーバ２００から受信し、受信した個人データを個人データ記録領域１１３に記録する。
【０２７７】
モバイルサーバ２００の同期制御部２２４は、録画サーバ１００と同期処理を行う際に、個人データ一時記録領域２１３に一時的に記録されている個人データを、モバイルサーバ２００から録画サーバ１００に転送する。
【０２７８】
モバイルサーバ２００から個人データを自動転送する際に、録画サーバ１００の個人データ記録領域１１３に空き領域が無い場合は、録画サーバ１００は、自動的に録画サーバ１００のチャネル自動録画領域１１１の容量を縮小し、個人データ記録領域１１３の記録容量を確保する。その場合、領域の確保に伴い、例えば３０日から２９日に録画期間を減少させるか、録画期間を減少させることなく、一部のコンテンツ又は全てのコンテンツの圧縮率を高めるかの選択をユーザが予め指定することができるＵＩを録画サーバ１００が備える。
【０２７９】
ＤＳＣ又はスマートフォン等の携帯情報端末で静止画像データ又は動画像データ等の個人データを撮影し、撮影された個人データを記録するために携帯情報端末の記録媒体の多くの容量が使用されている場合、この個人データをモバイルサーバ２００に転送することで、ユーザは、携帯情報端末の記録容量を気にしないで撮影することができる。通常は、個人データをモバイルサーバ２００に転送する場合は、モバイルサーバ２００内の記録容量を気にして確認する必要がある。しかしながら、チャネル自動録画コンテンツ転送領域２１１のコンテンツを例えば古いコンテンツから消す等のあらかじめユーザが指定した方法に基づき、チャネル自動録画コンテンツ転送領域２１１内のコンテンツが削除され、空き領域が作成されるので、モバイルサーバ２００の容量を気にすることなく、個人データの転送が可能になる。
【０２８０】
録画サーバ１００は、光ディスクドライブ１５１によって再生される光ディスク３２０が指定する光ディスク転送許諾サーバ３３０にネットワークを介してアクセスし、光ディスク３２０に記録された光ディスクコンテンツを録画サーバ１００からモバイルサーバ２００へ転送することを許諾する転送許諾を光ディスク転送許諾サーバ３３０から取得した後に、光ディスクコンテンツを個別録画領域１１２に転送してもよい。
【０２８１】
また、モバイルサーバ２００は、ＵＳＢ通信制御部、Ｗｉ−Ｆｉ通信制御部及び転送制御部を備えてもよい。ＵＳＢ通信制御部は、ＤＳＣ又はスマートフォン等の携帯情報端末で撮影された写真等の個人データをモバイルサーバ２００内の個人データ一時記録領域２１３に転送する。Ｗｉ−Ｆｉ通信制御部は、ＤＳＣ又はスマートフォン等の携帯情報端末で撮影された写真等の個人データをモバイルサーバ２００内の個人データ一時記録領域２１３に転送する。転送制御部は、録画サーバ１００との同期時に同期処理部２２４と連携し、個人データ一時記録領域２１３内の個人データを録画サーバ１００内の個人データ記録領域１１３に転送させる。
【０２８２】
また、録画サーバ１００は、モバイルサーバ２００との同期時に、モバイルサーバ２００から転送されてきた新たな個人データを個人データ記録領域１１３に記録するとともに、当該新たな個人データを個人データ保存クラウドサーバ内の個人データ領域に自動転送してもよい。個人データ保存クラウドサーバは、録画サーバ１００とネットワークを介して通信可能に接続されており、個人データ領域を備える。
【０２８３】
この録画サーバ１００は、光ディスクドライブ１５１によって再生される光ディスク３２０が指定する光ディスク転送許諾サーバ３３０にネットワークを介してアクセスし、光ディスク３２０に記録された光ディスクコンテンツを録画サーバ１００からモバイルサーバ２００へ転送することを許諾する転送許諾を光ディスク転送許諾サーバ３３０から取得した後に、光ディスクコンテンツを個別録画領域１１２に転送してもよい。また、この録画サーバ１００は、映像配信サーバ３４０から購入した配信コンテンツを個別録画領域１１２に転送してもよい。
【０２８４】
また、録画サーバ１００は、個人データ記録領域１１３を備えずに、モバイルサーバ２００から受信した個人データを個人データ保存クラウドサーバ内の個人データ領域に自動転送する自動クラウド転送部を備えてもよい。
【０２８５】
この録画サーバ１００は、光ディスクドライブ１５１によって再生される光ディスク３２０が指定する光ディスク転送許諾サーバ３３０にネットワークを介してアクセスし、光ディスク３２０に記録された光ディスクコンテンツを録画サーバ１００からモバイルサーバ２００へ転送することを許諾する転送許諾を光ディスク転送許諾サーバ３３０から取得した後に、光ディスクコンテンツを個別録画領域１１２に転送してもよい。また、この録画サーバ１００は、映像配信サーバ３４０から購入した配信コンテンツを個別録画領域１１２に転送してもよい。
【０２８６】
録画サーバ１００は、モバイル機器ＩＤ管理部１６１の代わりにユーザ／機器ＩＤ管理部を備えてもよい。機器ＩＤ及びメディアＩＤによる録画コンテンツの管理に加え、ユーザの概念を導入する。これにより、チャネル自動録画領域１１１は、複数のユーザにより共通に使用される領域であるが、個別録画領域１１２内の録画コンテンツは、個人毎に管理することが可能になる。従って、ユーザ毎に独自の録画コンテンツライブラリを個別録画領域１１２内に作ることができ、特定のユーザの個別録画領域１１２と特定のユーザのモバイルサーバ２００とを連携させることで、より各ユーザのニーズにあった同期処理が実現できる。
【０２８７】
ユーザ／機器ＩＤ管理部は、ユーザ／機器ＩＤ管理テーブルを備え、ユーザ毎に機器を管理してもよい。
【０２８８】
ユーザの概念を導入することで、ユーザ毎に機器及びメディアを管理でき、自分のコンテンツが他人の機器又はメディアと同期処理されるのを防ぐことができる。
【０２８９】
図３０は、各ユーザがそれぞれ１つのモバイルサーバを持つ場合のユーザ／機器ＩＤ管理テーブルの一例を示す図であり、図３１は、各ユーザがそれぞれ複数のモバイルサーバを持つ場合のユーザ／機器ＩＤ管理テーブルの一例を示す図である。
【０２９０】
図３０及び図３１に示すように、ユーザ／機器ＩＤ管理テーブルは、ユーザＩＤと、機器ＩＤ又はメディアＩＤとを対応付けて記録する。
【０２９１】
また、録画サーバ１００は、ユーザ毎に自動転送用管理テーブルを備えてもよい。
【０２９２】
ユーザ毎の自動転送用管理テーブルの構成は、機器毎の自動転送用管理テーブルの構成と同じである。
【０２９３】
図３２は、ユーザ毎の個別転送要管理テーブルの一例を示す図である。
【０２９４】
録画サーバ１００は、ユーザ毎の個別転送用管理テーブルを備えてもよい。
【０２９５】
ユーザ毎の個別転送用管理テーブルの構成は、機器毎の個別転送用管理テーブルの構成と同じであるが、ダビング１コンテンツに関しては、ユーザ毎に排他制御を行ってもよい。
【０２９６】
また、録画サーバ１００は、ユーザ／機器ＩＤ管理部を備えてもよく、録画サーバ１００の個別録画領域１１２は、ユーザ毎のムーブ専用光ディスクコンテンツとユーザ毎のムーブ専用配信コンテンツとを記録してもよい。ユーザ毎に個別録画領域１１２が割り当てられ、ユーザ毎に光ディスクコンテンツ又は配信コンテンツが管理される。
【０２９７】
これにより、購入した光ディスクコンテンツ又は配信コンテンツのプライバシが守られる。
【０２９８】
また、録画サーバ１００は、ユーザ／機器ＩＤ管理部を備えてもよく、録画サーバ１００の個別録画領域１１２は、ユーザ毎の個人データ記録領域を備えてもよい。ユーザ毎に個人データが管理される。これにより、撮影された静止画像又は動画像などの個人データのプライバシが守られる。
【０２９９】
また、録画サーバ１００は、モバイルサーバ２００との同期時に、モバイルサーバ２００から転送されてきた新たな個人データをユーザ毎の個人データ記録領域１１３に記録するとともに、当該新たな個人データを個人データ保存クラウドサーバ内の個人データ領域に自動転送してもよい。このとき、個人データ保存クラウドサーバ内の個人データ領域は、個人データをユーザ毎に管理する。ユーザ毎に個人データの管理が可能であり、通常、クラウドサービスは個人管理のため、録画サーバ１００はクラウドサービスとより連動しやすくなる。これにより、撮影された静止画像又は動画像などの個人データをクラウドサーバにより容易に転送することができる。
【０３００】
また、図３０及び図３１のユーザ／機器ＩＤ管理テーブルは、クラウドサーバと連携するためのクラウドアクセス情報（クラウドサービスの名称、ＵＲＬ（Ｕｎｉｆｏｒｍ  Ｒｅｓｏｕｒｃｅ  Ｌｏｃａｔｏｒ）、クラウドサービスで使用されるＩＤ又はクラウドサービスで使用されるパスワード等）を管理する項目をさらに備えてもよい。
【０３０１】
このようなクラウドアクセス情報を管理することにより、特定のユーザの機器と同期した場合、自動的に当該ユーザのクラウドサービスと連携し、当該ユーザのクラウドサービスに個人データを転送することができる。そのため、より使いやすい、機器とクラウドサービスとの連携が実現でできる。
【０３０２】
また、録画サーバ１００は、ユーザ毎のクラウドアクセス情報を記録媒体に記録してもよい。これにより、特定のユーザの機器が録画サーバ１００と同期した際に、自動的に当該ユーザのクラウドサービスを特定でき、当該クラウドアクセス情報を使って、モバイルサーバ２００内の個人データを個人コンテンツ保存クラウドサーバに転送することができる。
【０３０３】
また、モバイルサーバ２００は、クラウド同期管理情報を記録媒体に記録してもよい。クラウド同期管理情報は、機器ＩＤと、クラウドアクセス情報とを対応付けて保持する。
【０３０４】
これにより、機器が録画サーバ１００と同期した際に、自動的に当該機器を所有するユーザのクラウドサービスを特定でき、クラウド同期管理情報を使って、モバイルサーバ２００内の個人データを個人コンテンツ保存クラウドサーバに転送することができる。
【０３０５】
また、機器が任意の録画サーバと同期した時に、対象クラウドサービスのクラウドサーバに接続し、個人データを転送することができる。また、モバイルサーバの機器ＩＤが録画サーバに登録されていた場合のみ、モバイルサーバは録画サーバに個人データを転送してもよい。
【０３０６】
また、クラウド同期管理情報は、ユーザＩＤと、機器ＩＤと、クラウドアクセス情報とを対応付けて保持してもよい。このとき、モバイルサーバが、格納されたユーザＩＤが有効な録画サーバと同期した場合のみ、対象クラウドサービスのクラウドサーバに接続し、個人データを転送することができる。録画サーバ内に、該当ユーザの個人データ領域が確保されており、ユーザＩＤ及び機器ＩＤが記録されている場合は、録画サーバにも個人データを転送することが可能である。
【０３０７】
なお、上述した具体的実施形態には以下の構成を有する発明が主に含まれている。
【０３０８】
本開示の一局面に係るコンテンツ録画方法は、コンテンツを記録媒体に録画する録画装置におけるコンテンツ録画方法であって、ユーザによって指定されたチャネル及び時間帯に放送されるコンテンツを、前記記録媒体のチャネル自動録画領域に自動的に録画するチャネル自動録画制御ステップと、前記録画装置と通信可能に接続されたモバイル機器と通信可能になったことを検知した際に、過去に前記チャネル自動録画領域から前記モバイル機器にコピー又はムーブされたコンテンツを、前記モバイル機器に削除させる削除ステップと、前記モバイル機器と通信可能になったことを検知した際に、前記チャネル自動録画領域に録画されたコンテンツを、前記モバイル機器にコピー又はムーブするコンテンツ転送ステップと、を含む。
【０３０９】
この構成によれば、ユーザによって指定されたチャネル及び時間帯に放送されるコンテンツが、記録媒体のチャネル自動録画領域に自動的に録画される。録画装置と通信可能に接続されたモバイル機器と通信可能になったことが検知された際に、過去にチャネル自動録画領域からモバイル機器にコピー又はムーブされたコンテンツが、モバイル機器から削除される。そして、モバイル機器と通信可能になったことが検知された際に、チャネル自動録画領域に録画されたコンテンツが、モバイル機器にコピー又はムーブされる。
【０３１０】
したがって、モバイル機器と通信可能になったことが検知された際に、過去にチャネル自動録画領域からモバイル機器にコピー又はムーブされたコンテンツが、モバイル機器から削除されるので、モバイル機器に記録された不要なコンテンツを自動的に削除することができ、ユーザの利便性を向上させることができる。
【０３１１】
また、上記のコンテンツ録画方法において、前記削除ステップは、前記モバイル機器と通信可能になったことを検知した際に、前記チャネル自動録画領域から前記モバイル機器に記録されたコンテンツのうち、前記チャネル自動録画領域から前記モバイル機器にコンテンツを転送する期間を示す転送期間を越えた前記コンテンツを、前記モバイル機器に削除させることが好ましい。
【０３１２】
この構成によれば、モバイル機器と通信可能になったことが検知された際に、チャネル自動録画領域からモバイル機器に記録されたコンテンツのうち、チャネル自動録画領域からモバイル機器にコンテンツを転送する期間を示す転送期間を越えたコンテンツが、モバイル機器から削除される。
【０３１３】
したがって、モバイル機器に記録されるコンテンツを、チャネル自動録画領域からモバイル機器にコンテンツを転送する期間を示す転送期間内に抑えることができ、モバイル機器の記録容量を一定にすることができる。
【０３１４】
また、上記のコンテンツ録画方法において、前記コンテンツ転送ステップは、前記モバイル機器と通信可能になったことを検知した際に、前記モバイル機器と通信可能になったことを前回検知した後に経過した日数が、ユーザによって指定された日数よりも少ない場合に、指定された前記日数に関わらず、前回検知された後に前記チャネル自動録画領域内に記録されたコンテンツを、前記モバイル機器にコピー又はムーブすることが好ましい。
【０３１５】
この構成によれば、モバイル機器と通信可能になったことが検知された際に、モバイル機器と通信可能になったことを前回検知した後に経過した日数が、ユーザによって指定された日数よりも少ない場合に、指定された日数に関わらず、前回検知された後にチャネル自動録画領域内に記録されたコンテンツが、モバイル機器にコピー又はムーブされる。
【０３１６】
したがって、チャネル自動録画領域内に記録された最新のコンテンツを、モバイル機器に記録することができる。
【０３１７】
また、上記のコンテンツ録画方法において、前記削除ステップは、前記モバイル機器に記録されたコンテンツのうち、放送時刻が最も古い前記コンテンツを、前記モバイル機器に削除させることが好ましい。
【０３１８】
この構成によれば、モバイル機器に記録されたコンテンツのうち、放送時刻が最も古いコンテンツが、モバイル機器から削除されるので、既に視聴した過去のコンテンツ、又は視聴することのない過去のコンテンツを削除することができる。
【０３１９】
また、上記のコンテンツ録画方法において、前記コンテンツ転送ステップは、前記モバイル機器と通信可能になったことを検知した際に、前記チャネル自動録画領域に記録されたコンテンツのうち、ユーザに指定されたチャネル及び時間帯のコンテンツを、前記モバイル機器にコピー又はムーブすることが好ましい。
【０３２０】
この構成によれば、モバイル機器と通信可能になったことが検知された際に、チャネル自動録画領域に記録されたコンテンツのうち、ユーザに指定されたチャネル及び時間帯のコンテンツが、モバイル機器にコピー又はムーブされる。
【０３２１】
したがって、チャネル自動録画領域に記録された全てのコンテンツがモバイル機器にコピー又はムーブされるのではなく、ユーザに指定されたチャネル及び時間帯のコンテンツがモバイル機器にコピー又はムーブされるので、ユーザが必要なコンテンツのみをモバイル機器に記録することができ、モバイル機器の記録容量を抑えることができる。
【０３２２】
また、上記のコンテンツ録画方法において、前記コンテンツ転送ステップは、前記モバイル機器と通信可能になったことを検知した際に、前記チャネル自動録画領域に記録されたコンテンツのうち、ユーザによって指定されたジャンルに対応するコンテンツを、前記モバイル機器にコピー又はムーブすることが好ましい。
【０３２３】
この構成によれば、モバイル機器と通信可能になったことが検知された際に、チャネル自動録画領域に記録されたコンテンツのうち、ユーザによって指定されたジャンルに対応するコンテンツが、モバイル機器にコピー又はムーブされるので、ユーザが必要なコンテンツのみをモバイル機器に記録することができ、モバイル機器の記録容量を抑えることができる。
【０３２４】
また、上記のコンテンツ録画方法において、前記コンテンツ転送ステップは、前記モバイル機器と通信可能になったことを検知した際に、前記チャネル自動録画領域に記録されたコンテンツのうち、ユーザの視聴履歴に基づいて、前記モバイル機器にコピー又はムーブするコンテンツを選択し、選択したコンテンツを前記モバイル機器にコピー又はムーブすることが好ましい。
【０３２５】
この構成によれば、モバイル機器と通信可能になったことが検知された際に、チャネル自動録画領域に記録されたコンテンツのうち、ユーザの視聴履歴に基づいて、モバイル機器にコピー又はムーブするコンテンツが選択され、選択されたコンテンツがモバイル機器にコピー又はムーブされるので、ユーザの視聴履歴に応じたコンテンツのみをモバイル機器に記録することができ、モバイル機器の記録容量を抑えることができる。
【０３２６】
また、上記のコンテンツ録画方法において、ユーザによって個別に指定されたコンテンツの録画を予約し、予約された前記コンテンツを前記記録媒体の個別録画領域に録画し、前記個別録画領域に録画された少なくとも１つのコンテンツの中からユーザによって指定されたコンテンツを削除する個別録画制御ステップをさらに含むことが好ましい。
【０３２７】
この構成によれば、ユーザによって個別に指定されたコンテンツの録画が予約され、予約されたコンテンツが記録媒体の個別録画領域に録画され、個別録画領域に録画された少なくとも１つのコンテンツの中からユーザによって指定されたコンテンツが削除される。
【０３２８】
したがって、個別録画領域に録画された、ユーザによって個別に予約されたコンテンツは、ユーザが指定することによって削除されるので、ユーザが視聴していないにも拘わらず、自動的に削除されるのを防止することができる。
【０３２９】
また、上記のコンテンツ録画方法において、光ディスクドライブによって再生される光ディスクが指定するコンテンツ転送許諾サーバにネットワークを介してアクセスし、前記光ディスクに記録された光ディスクコンテンツを前記録画装置から前記モバイル機器へ転送することを許諾する転送許諾を前記コンテンツ転送許諾サーバから取得する転送許諾取得ステップと、前記転送許諾を取得した際に、前記光ディスクコンテンツを前記個別録画領域にコピーする光ディスクコンテンツ記録ステップと、前記モバイル機器と通信可能になったことを検知し、且つ、前記個別録画領域にコピーされた前記光ディスクコンテンツが自動的にコピー又は自動的にムーブする対象としてユーザによって指定されている場合、前記モバイル機器に前記光ディスクコンテンツを自動的にコピー又はムーブする光ディスクコンテンツ転送ステップとをさらに含むことが好ましい。
【０３３０】
この構成によれば、光ディスクドライブによって再生される光ディスクが指定するコンテンツ転送許諾サーバにネットワークを介してアクセスされ、光ディスクに記録された光ディスクコンテンツを録画装置からモバイル機器へ転送することを許諾する転送許諾がコンテンツ転送許諾サーバから取得される。転送許諾が取得された際に、光ディスクコンテンツが個別録画領域にコピーされる。モバイル機器と通信可能になったことが検知され、且つ、個別録画領域にコピーされた光ディスクコンテンツが自動的にコピー又は自動的にムーブする対象としてユーザによって指定されている場合、モバイル機器に光ディスクコンテンツが自動的にコピー又はムーブされる。
【０３３１】
したがって、コンテンツ転送許諾サーバから許諾を得ることによって、光ディスクに記録されているコンテンツをモバイル機器に自動的にコピー又はムーブすることができ、ユーザが許諾を得るための操作が不要となり、ユーザの利便性を向上させることができる。
【０３３２】
また、上記のコンテンツ録画方法において、映像配信サーバによって配信される配信コンテンツをダウンロードし、ダウンロードされた前記配信コンテンツを前記個別録画領域に記録する配信コンテンツ記録ステップと、前記モバイル機器と通信可能になったことを検知し、且つ、前記個別録画領域に記録された前記配信コンテンツが自動的にコピー又は自動的にムーブの対象としてユーザによって指定されている場合、前記モバイル機器に前記配信コンテンツを自動的にコピー又はムーブする配信コンテンツ転送ステップとをさらに含むことが好ましい。
【０３３３】
この構成によれば、映像配信サーバによって配信される配信コンテンツがダウンロードされ、ダウンロードされた配信コンテンツが個別録画領域に記録される。モバイル機器と通信可能になったことが検知され、且つ、個別録画領域に記録された配信コンテンツが自動的にコピー又は自動的にムーブの対象としてユーザによって指定されている場合、モバイル機器に配信コンテンツが自動的にコピー又はムーブされる。
【０３３４】
したがって、映像配信サーバからダウンロードした配信コンテンツをモバイル機器に自動的にコピー又はムーブすることができ、ユーザが配信コンテンツを転送するための操作が不要となり、ユーザの利便性を向上させることができる。
【０３３５】
また、上記のコンテンツ録画方法において、ユーザによって撮影された静止画像データ又は動画像データを含む個人データを前記記録媒体の個人データ領域に記録する個人データ記録ステップをさらに含むことが好ましい。
【０３３６】
この構成によれば、ユーザによって撮影された静止画像データ又は動画像データを含む個人データが記録媒体の個人データ領域に記録されるので、ユーザによって撮影された静止画像データ又は動画像データを含む個人データを保管することができる。
【０３３７】
また、上記のコンテンツ録画方法において、前記モバイル機器は、前記個人データを記録しており、前記個人データ記録ステップは、前記モバイル機器と通信可能になったことを検知した際に、前記モバイル機器に記録されている前記個人データを前記モバイル機器から受信し、受信した前記個人データを前記個人データ領域に記録することが好ましい。
【０３３８】
この構成によれば、モバイル機器は、個人データを記録している。モバイル機器と通信可能になったことが検知された際に、モバイル機器に記録されている個人データがモバイル機器から受信され、受信された個人データが個人データ領域に記録される。
【０３３９】
したがって、モバイル機器に記録されている個人データが個人データ領域に記録されるので、モバイル機器の記録容量を削減することができる。
【０３４０】
本開示の他の局面に係る録画装置は、コンテンツを記録媒体に録画する録画装置であって、ユーザによって指定されたチャネル及び時間帯に放送されるコンテンツを、前記記録媒体のチャネル自動録画領域に自動的に録画するチャネル自動録画制御部と、前記録画装置と通信可能に接続されたモバイル機器と通信可能になったことを検知した際に、過去に前記チャネル自動録画領域から前記モバイル機器にコピー又はムーブされたコンテンツを、前記モバイル機器に削除させる削除部と、前記モバイル機器と通信可能になったことを検知した際に、前記チャネル自動録画領域に録画されたコンテンツを、前記モバイル機器にコピー又はムーブするコンテンツ転送部と、を備える。
【０３４１】
この構成によれば、ユーザによって指定されたチャネル及び時間帯に放送されるコンテンツが、記録媒体のチャネル自動録画領域に自動的に録画される。録画装置と通信可能に接続されたモバイル機器と通信可能になったことが検知された際に、過去にチャネル自動録画領域からモバイル機器にコピー又はムーブされたコンテンツが、モバイル機器から削除される。そして、モバイル機器と通信可能になったことが検知された際に、チャネル自動録画領域に録画されたコンテンツが、モバイル機器にコピー又はムーブされる。
【０３４２】
したがって、モバイル機器と通信可能になったことが検知された際に、過去にチャネル自動録画領域からモバイル機器にコピー又はムーブされたコンテンツが、モバイル機器から削除されるので、モバイル機器に記録された不要なコンテンツを自動的に削除することができ、ユーザの利便性を向上させることができる。
【０３４３】
本開示の他の局面に係る録画システムは、コンテンツを記録媒体に録画する録画装置と、前記録画装置と通信可能に接続されたモバイル機器とを備える録画システムであって、前記録画装置は、ユーザによって指定されたチャネル及び時間帯に放送されるコンテンツを、前記記録媒体のチャネル自動録画領域に自動的に録画するチャネル自動録画制御部と、前記モバイル機器と通信可能になったことを検知した際に、過去に前記チャネル自動録画領域から前記モバイル機器にコピー又はムーブされたコンテンツを、前記モバイル機器に削除させる削除部と、前記モバイル機器と通信可能になったことを検知した際に、前記チャネル自動録画領域に録画されたコンテンツを、前記モバイル機器にコピー又はムーブするコンテンツ転送部と、を備え、前記モバイル機器は、前記録画装置によってコピー又はムーブされた前記コンテンツを記録媒体に記録するとともに、過去にコピー又はムーブされた前記コンテンツを前記記録媒体から削除する記録制御部と、前記記録媒体に記録された前記コンテンツを表示装置へ送信し、前記コンテンツを再生する再生制御部と、を備える。
【０３４４】
この構成によれば、録画装置において、ユーザによって指定されたチャネル及び時間帯に放送されるコンテンツが、記録媒体のチャネル自動録画領域に自動的に録画される。モバイル機器と通信可能になったことが検知された際に、過去にチャネル自動録画領域からモバイル機器にコピー又はムーブされたコンテンツが、モバイル機器から削除される。そして、モバイル機器と通信可能になったことが検知された際に、チャネル自動録画領域に録画されたコンテンツが、モバイル機器にコピー又はムーブされる。また、モバイル機器において、録画装置によってコピー又はムーブされたコンテンツが記録媒体に記録されるとともに、過去にコピー又はムーブされたコンテンツが記録媒体から削除される。記録媒体に記録されたコンテンツが表示装置へ送信され、コンテンツが再生される。
【０３４５】
したがって、モバイル機器と通信可能になったことが検知された際に、過去にチャネル自動録画領域からモバイル機器にコピー又はムーブされたコンテンツが、モバイル機器から削除されるので、モバイル機器に記録された不要なコンテンツを自動的に削除することができ、ユーザの利便性を向上させることができる。
【産業上の利用可能性】
【０３４６】
本開示に係るコンテンツ録画方法、録画装置及び録画システムは、ユーザの利便性を向上させることができ、コンテンツを記録媒体に録画する録画装置におけるコンテンツ録画方法、録画装置及び録画システムとして有用である。
【符号の説明】
【０３４７】
１００    録画サーバ
１１１    チャネル自動録画領域
１１２    個別録画領域
１１３    個人データ記録領域
１２１    システム制御部
１２２    録画制御部
１２３    入出力制御部
１２４    同期制御部
１２５    記録媒体制御部
１２６    再生制御部
１３１，１３２    トランスコーダ
１３３    ＡＶデコーダ
１４１    Ｗｉ−Ｆｉ通信制御部
１４２    ＵＳＢ通信制御部
１４３    ＨＤＭＩ通信制御部
１４５    デジタル放送チューナ
１４７    チャネル自動録画用管理テーブル
１５１    光ディスクドライブ
１５２    記録制御部
１６１    モバイル機器ＩＤ管理部
１６２    モバイル機器ＩＤ管理テーブル
１６５    自動転送用管理テーブル
１６６    個別転送用管理テーブル
１７２    自動録画フィルタ
１７４    自動転送フィルタ
１７６    録画予約部
１７８    転送予約部
１８４    自動転送部
１９２    チェックイン／チェックアウト処理部
２００    モバイルサーバ
２０１    ポータブルビデオビューワ
２１０    記録媒体
２１１    チャネル自動録画コンテンツ転送領域
２１２    個別録画コンテンツ転送領域
２１３    個人データ一時記録領域
２２１    システム制御部
２２３    記録領域管理部
２２４    同期制御部
２２５    記録装置制御部
２２６    再生制御部
２２７    ＤＬＮＡ／ＤＴＣＰ通信部
２２８    入出力制御部
２３１    Ｗｉ−Ｆｉ通信制御部
２３２    ＵＳＢ通信制御部
２３３    ＡＶデコーダ
２４３    ＨＤＭＩ通信制御部
２５１    表示装置制御部
２５２    表示装置
２５３    表示制御部
３００    無料放送コンテンツ
３０１，３０２    コピー可能録画コンテンツ
３１０    有料放送コンテンツ
３１１，３１２    ムーブ専用録画コンテンツ
３２０    光ディスク
３３０    光ディスク転送許諾サーバ
３４０    映像配信サーバ
３５０    放送コンテンツ
４００    テレビ
４１０    ＤＬＮＡ対応テレビ
４２０    ＨＤＭＩ対応テレビ
４５０    リモコン
５００    携帯情報端末
５０１    携帯情報端末
６００    車載テレビ
【図１】
2015128281.tif 000003
【図２】
2015128281.tif 000004
【図３】
2015128281.tif 000005
【図４】
2015128281.tif 000006
【図５】
2015128281.tif 000007
【図６】
2015128281.tif 000008
【図７】
2015128281.tif 000009
【図８】
2015128281.tif 000010
【図９】
2015128281.tif 000011
【図１０】
2015128281.tif 000012
【図１１】
2015128281.tif 000013
【図１２】
2015128281.tif 000014
【図１３】
2015128281.tif 000015
【図１４】
2015128281.tif 000016
【図１５】
2015128281.tif 000017
【図１６】
2015128281.tif 000018
【図１７】
2015128281.tif 000019
【図１８】
2015128281.tif 000020
【図１９】
2015128281.tif 000021
【図２０】
2015128281.tif 000022
【図２１】
2015128281.tif 000023
【図２２】
2015128281.tif 000024
【図２３】
2015128281.tif 000025
【図２４】
2015128281.tif 000026
【図２５】
2015128281.tif 000027
【図２６】
2015128281.tif 000028
【図２７】
2015128281.tif 000029
【図２８】
2015128281.tif 000030
【図２９】
2015128281.tif 000031
【図３０】
2015128281.tif 000032
【図３１】
2015128281.tif 000033
【図３２】
2015128281.tif 000034